(57)【要約】  本開示において概説される解決法は、同一周波数内動作及び異周波数間動作を判定するための方法であり、本方法は、参照測定リソースとして第１のセルの第１の測定リソースを取得することと、第２のセルの第２の測定リソースと第１のセルの第１の測定リソースとが同じタイプである第２のセルの第２の測定リソースを取得することと、第２のセルが同一周波数キャリアで動作するか異周波数キャリアで動作するかを第２のセルの第２の測定リソースと参照測定リソースを比較することによって判定することとを含む。本方法は、ユーザ機器又はネットワークノードにおいて実行され得る。【選択図】図１４
2020526090.tif 000002
【特許請求の範囲】
【請求項１】
ユーザ機器（ＵＥ）（１７００）において使用するための方法（１５００）であって、
参照測定リソースとして第１のセルの第１の測定リソースを取得すること（１５１０）と、
第２のセルの第２の測定リソースと前記第１のセルの前記第１の測定リソースとが同じタイプである前記第２のセルの前記第２の測定リソースを取得すること（１５２０）と、
前記第２のセルの前記第２の測定リソースと前記参照測定リソースを比較することによって、前記第２のセルは同一周波数キャリアで動作するか異周波数キャリアで動作するかを判定すること（１５３０）と
を含む、方法（１５００）。
【請求項２】
前記第２のセルの前記第２の測定リソースの周波数が前記参照測定リソースの周波数と同じであるときに前記第２のセルで同一周波数内動作を実行することをさらに含む、請求項１に記載の方法（１５００）。
【請求項３】
前記第２のセルの前記第２の測定リソースの周波数が前記参照測定リソースの周波数と同じではないときに前記第２のセルで異周波数間動作を実行することをさらに含む、請求項１に記載の方法（１５００）。
【請求項４】
測定ギャップ支援が必要かどうかを判定することをさらに含む、請求項１から３のいずれか一項に記載の方法（１５００）。
【請求項５】
前記第１のセルの中央周波数が前記第２のセルの中央周波数とは異なるとき、前記測定ギャップ支援が必要とされる、請求項４に記載の方法（１５００）。
【請求項６】
前記第１のセルの中央周波数が前記第２のセルの中央周波数の第１のマージン内にあるとき、前記測定ギャップ支援が必要とされる、請求項４に記載の方法（１５００）。
【請求項７】
前記第１のセルの少なくとも１つの同期信号バーストが前記第２のセルの少なくとも１つの同期信号バーストと同じ周波数を共用するときに前記第２のセルで同一周波数内動作を実行することをさらに含む、請求項１に記載の方法（１５００）。
【請求項８】
前記第１のセルの同期信号バーストが前記第２のセルの同期信号バーストと同じ周波数を共用しないときに前記第２のセルで異周波数間動作を実行することをさらに含む、請求項１に記載の方法（１５００）。
【請求項９】
前記第２のセルが同一周波数キャリアで動作するか異周波数キャリアで動作するかを判定することが、少なくとも部分的に、周波数内の予め規定された位置に基づく、請求項１から８のいずれか一項に記載の方法（１５００）。
【請求項１０】
前記第２のセルが前記同一周波数キャリアで動作するか前記異周波数キャリアで動作するかを判定することが、少なくとも部分的に、前記参照測定リソースの１つ又は複数のルールに基づき、前記ルールが、前記参照測定リソースは前記ＵＥ（１７００）のためのページングリソースに関連していることと、前記参照測定リソースは前記ＵＥ（１７００）のための前記ページングリソースのサブセットであることと、前記参照測定リソースは前記ページングリソースに関連する同期信号（ＳＳ）ブロック又はＳＳバースト又はＳＳバーストセットであることと、前記参照測定リソースは周波数ドメイン内の前記ページングリソースに最も近い前記ＳＳブロック又はＳＳバースト又はＳＳバーストセットであることと、前記参照測定リソースは無線リンクモニタリング（ＲＬＭ）のために設定されることと、前記参照測定リソースは設定された同一周波数内測定帯域幅内であることと、前記参照測定リソースは、そこで前記ＵＥ（１７００）が情報又はチャンネルを受信する、制御チャネルを含むことと、前記参照測定リソースは、そこで前記ＵＥ（１７００）が情報又はチャンネルを受信する、前記周波数ドメイン内の探索空間を含むことと、前記参照測定リソースは前記ＵＥ（１７００）へのサービングセル専用送信を含むことと、前記参照測定資は最大ＵＥ帯域幅のリソースであることと、前記参照測定リソースは少なくとも１つのチャンネル状態情報−参照信号リソースグループのリソースを含むことと、前記参照測定リソースはチャンネルラスタと一致することと、前記参照測定リソースは同期ラスタと一致することとを含む、請求項１から９のいずれか一項に記載の方法（１５００）。
【請求項１１】
前記第２のセルが前記同一周波数キャリアで動作するか前記異周波数キャリアで動作するかを判定することが、少なくとも部分的に、ネットワークノードからの又は別のＵＥからのインジケーションに基づく、請求項１から１０のいずれか一項に記載の方法（１５００）。
【請求項１２】
ネットワークノードから受信されたインジケーションに基づく前記参照測定リソースに関する情報を取得することをさらに含む、請求項１から１１のいずれか一項に記載の方法（１５００）。
【請求項１３】
前記第１の及び第２の測定リソースが、ＳＳブロック又はＣＳＩ−ＲＳを含む、請求項１から１２のいずれか一項に記載の方法（１５００）。
【請求項１４】
前記第２のセルが前記同一周波数キャリアで動作するか前記異周波数キャリアで動作するかの前記判定に応答して測定手続きを適応させることをさらに含む、請求項１から１３のいずれか一項に記載の方法（１５００）。
【請求項１５】
ネットワークノード（１８００）において使用するための方法（１６００）であって、
参照測定リソースとして第１のセルの第１の測定リソースを取得すること（１６１０）と、
第２のセルの第２の測定リソースと前記第１のセルの前記第１の測定リソースとが同じタイプである前記第２のセルの前記第２の測定リソースを取得すること（１６２０）と、
前記第２のセルの前記第２の測定リソースと前記参照測定リソースを比較することによって、前記第２のセルが同一周波数キャリアで動作するか異周波数キャリアで動作するかを判定すること（１６３０）と、
前記第２のセルが前記同一周波数キャリアで動作するか前記異周波数キャリアで動作するかの前記判定に関する情報をユーザ機器（１７００）に送信すること（１６４０）と
を含む、方法（１６００）。
【請求項１６】
前記取得された参照測定リソースに関する情報を前記ユーザ機器（１７００）に送信することをさらに含む、請求項１５に記載の方法（１６００）。
【請求項１７】
前記第２のセルの前記第２の測定リソースの周波数が前記参照測定リソースの周波数と同じであるときに、前記ユーザ機器（１７００）が前記第２のセルで同一周波数内動作を実行する、請求項１５に記載の方法（１６００）。
【請求項１８】
前記第２のセルの前記第２の測定リソースの周波数が前記参照測定リソースの周波数と同じではないときに、前記ユーザ機器（１７００）が前記第２のセルで異周波数間動作を実行する、請求項１５に記載の方法（１６００）。
【請求項１９】
前記第２のセルが前記同一周波数キャリアで動作するか前記異周波数キャリアで動作するかを判定することが、少なくとも部分的に、周波数内の予め規定された位置に基づく、請求項１３から１８のいずれか一項に記載の方法（１６００）。
【請求項２０】
前記第２のセルが前記同一周波数キャリアで動作するか前記異周波数キャリアで動作するかを判定することが、少なくとも部分的に、前記参照測定リソースの１つ又は複数のルールに基づき、前記ルールが、前記参照測定リソースは前記ＵＥ（１７００）のためのページングリソースに関連していることと、前記参照測定リソースは前記ＵＥ（１７００）のための前記ページングリソースのサブセットであることと、前記参照測定リソースは前記ページングリソースに関連する同期信号（ＳＳ）ブロック又はＳＳバースト又はＳＳバーストセットであることと、前記参照測定リソースは周波数ドメイン内の前記ページングリソースに最も近い前記ＳＳブロック又はＳＳバースト又はＳＳバーストセットであることと、前記参照測定リソースは無線リンクモニタリング（ＲＬＭ）のために設定されることと、前記参照測定リソースは設定された同一周波数内測定帯域幅内であることと、前記参照測定リソースは、前記ＵＥ（１７００）が情報又はチャンネルを受信する、制御チャンネルを含むことと、前記参照測定リソースは、前記ＵＥ（１７００）が情報又はチャンネルを受信する、前記周波数ドメイン内の探索空間を含むことと、前記参照測定リソースは前記ＵＥ（１７００）へのサービングセル専用送信を含むことと、前記参照測定リソースは最大ＵＥ帯域幅のリソースであることと、前記参照測定リソースは少なくとも１つのチャンネル状態情報−参照信号リソースグループのリソースを含むことと、前記参照測定リソースはチャンネルラスタと一致することと、前記参照測定リソースは同期ラスタと一致することとを含む、請求項１３から１９のいずれか一項に記載の方法（１６００）。
【請求項２１】
前記第１の及び第２の測定リソースが、ＳＳブロック又はＣＳＩ−ＲＳを含む、請求項１３から２０のいずれか一項に記載の方法（１６００）。
【請求項２２】
前記第２のセルが前記同一周波数キャリアで動作するか前記異周波数キャリアで動作するかの前記判定に応答して前記ユーザ機器（１７００）に送信される測定設定を適応させることをさらに含む、請求項１３から２１のいずれか一項に記載の方法（１６００）。
【請求項２３】
前記第２のセルが前記同一周波数キャリアで動作するか前記異周波数キャリアで動作するかの前記判定に応答して前記ユーザ機器（１７００）へのアップリンク及び／又はダウンリンクにおける信号のスケジューリングを適応させることをさらに含む、請求項１３から２２のいずれか一項に記載の方法（１６００）。
【請求項２４】
同一周波数内動作及び異周波数間動作を判定するためのユーザ機器（１７００）であって、
少なくとも１つの処理回路と、
プロセッサ実行可能命令を記憶する少なくとも１つのストレージであって、前記処理回路によって実行されたとき、前記ユーザ機器に、
参照測定リソースとして第１のセルの第１の測定リソースを取得させ（１５１０）、
第２のセルの第２の測定リソースと前記第１のセルの前記第１の測定リソースとが同じタイプである前記第２のセルの前記第２の測定リソースを取得させ（１５２０）、及び、
前記第２のセルの前記第２の測定リソースと前記参照測定リソースを比較することによって前記第２のセルが同一周波数キャリアで動作するか異周波数キャリアで動作するかを判定させる（１５３０）
少なくとも１つのストレージと
を備えた、ユーザ機器（１７００）。
【請求項２５】
前記命令がさらに、前記第２のセルの前記第２の測定リソースの周波数が前記参照測定リソースの周波数と同じであるときに、前記ユーザ機器（１７００）に前記第２のセルで前記同一周波数内動作を実行させる、請求項２４に記載のユーザ機器（１７００）。
【請求項２６】
前記命令がさらに、前記第２のセルの前記第２の測定リソースの周波数が前記参照測定リソースの周波数と同じではないときに、前記ユーザ機器（１７００）に前記第２のセルで前記異周波数間動作を実行させる、請求項２４に記載のユーザ機器（１７００）。
【請求項２７】
前記命令がさらに、測定ギャップ支援が必要かどうかを前記ユーザ機器（１７００）に判定させる、請求項２４から２６のいずれか一項に記載のユーザ機器（１７００）。
【請求項２８】
前記第１のセルの中央周波数が前記第２のセルの中央周波数とは異なるとき、前記測定ギャップ支援が必要とされる、請求項２７に記載のユーザ機器（１７００）。
【請求項２９】
前記第１のセルの中央周波数が前記第２のセルの中央周波数の第１のマージン内にあるとき、前記測定ギャップ支援が必要とされる、請求項２７に記載のユーザ機器（１７００）。
【請求項３０】
前記第１のセルの少なくとも１つの同期信号バーストが前記第２のセルの少なくとも１つの同期信号バーストと同じ周波数を共用するとき、前記命令がさらに、前記ユーザ機器（１７００）に前記第２のセルで前記同一周波数内動作を実行させる、請求項２４に記載のユーザ機器（１７００）。
【請求項３１】
前記第１のセルの同期信号バーストが前記第２のセルの同期信号バーストと同じ周波数を共用しないとき、前記命令がさらに、前記ユーザ機器（１７００）に前記第２のセルで前記異周波数間動作を実行させる、請求項２４に記載のユーザ機器（１７００）。
【請求項３２】
前記第２のセルが前記同一周波数キャリアで動作するか前記異周波数キャリアで動作するかの前記判定が、少なくとも部分的に、周波数内の予め規定された位置に基づく、請求項２４から３１のいずれか一項に記載のユーザ機器（１７００）。
【請求項３３】
前記第２のセルが前記同一周波数キャリアで動作するか前記異周波数キャリアで動作するかの前記判定が、少なくとも部分的に、前記参照測定リソースの１つ又は複数のルールに基づき、前記ルールが、前記参照測定リソースは前記ＵＥ（１７００）のためのページングリソースに関連していることと、前記参照測定リソースは前記ＵＥ（１７００）のための前記ページングリソースのサブセットであることと、前記参照測定リソースは前記ページングリソースに関連する同期信号（ＳＳ）ブロック又はＳＳバースト又はＳＳバーストセットであることと、前記参照測定リソースは周波数ドメイン内の前記ページングリソースに最も近い前記ＳＳブロック又はＳＳバースト又はＳＳバーストセットであることと、前記参照測定リソースは無線リンクモニタリング（ＲＬＭ）のために設定されることと、前記参照測定リソースは設定された同一周波数内測定帯域幅内であることと、前記参照測定リソースは、前記ＵＥ（１７００）が情報又はチャンネルを受信する、制御チャネルを含むことと、前記参照測定リソースは、そこで前記ＵＥ（１７００）が情報又はチャンネルを受信する、前記周波数ドメイン内の探索空間を含むことと、前記参照測定リソースは前記ＵＥ（１７００）へのサービングセル専用送信を含むことと、前記参照測定資は最大ＵＥ帯域幅のリソースであることと、前記参照測定リソースは少なくとも１つのチャンネル状態情報−参照信号リソースグループのリソースを含むことと、前記参照測定リソースはチャンネルラスタと一致することと、前記参照測定リソースは同期ラスタと一致することとを含む、請求項２４から３２のいずれか一項に記載のユーザ機器（１７００）。
【請求項３４】
前記第２のセルが前記同一周波数キャリアで動作するか前記異周波数キャリアで動作するかの前記判定が、少なくとも部分的に、ネットワークノードからの又は別のＵＥからのインジケーションに基づく、請求項２４から３３のいずれか一項に記載のユーザ機器（１７００）。
【請求項３５】
ネットワークノードから受信されたインジケーションに基づく前記参照測定リソースに関する情報を取得することをさらに含む、請求項２４から３４のいずれか一項に記載のユーザ機器（１７００）。
【請求項３６】
前記第１の及び第２の測定リソースが、ＳＳブロック又はＣＳＩ−ＲＳを含む、請求項２４から３５のいずれか一項に記載のユーザ機器（１７００）。
【請求項３７】
前記命令がさらに、前記第２のセルが前記同一周波数キャリアで動作するか前記異周波数キャリアで動作するかの前記判定に応答して前記ユーザ機器（１７００）に測定手続きを適応させる、請求項２４から３６のいずれか一項に記載のユーザ機器（１７００）。
【請求項３８】
ユーザ機器（１７００）のための同一周波数内動作及び異周波数間動作を判定するためのネットワークノード（１８００）であって、
少なくとも１つの処理回路と、
プロセッサ実行可能命令を記憶する少なくとも１つのストレージであって、前記処理回路によって実行されたとき、前記ネットワークノード（１８００）に、
参照測定リソースとして第１のセルの第１の測定リソースを取得させ（１６１０）、
第２のセルの第２の測定リソースと前記第１のセルの前記第１の測定リソースとが同じタイプである前記第２のセルの前記第２の測定リソースを取得させ（１６２０）、
前記第２のセルの前記第２の測定リソースと前記参照測定リソースを比較することによって前記第２のセルが同一周波数キャリアで動作するか異周波数キャリアで動作するかを判定させ（１６３０）、及び、
前記第２のセルが前記同一周波数キャリアで動作するか前記異周波数キャリアで動作するかの前記判定に関する情報を前記ユーザ機器（１７００）に送信させる（１６４０）
少なくとも１つのストレージと
を備えた、ネットワークノード（１８００）。
【請求項３９】
前記命令がさらに、前記ネットワークノード（１８００）に前記取得された参照測定リソースに関する情報を前記ユーザ機器（１７００）へ送信させる、請求項３８に記載のネットワークノード（１８００）。
【請求項４０】
前記第２のセルの前記第２の測定リソースの周波数が前記参照測定リソースの周波数と同じであるとき、前記ユーザ機器（１７００）が、前記第２のセルで前記同一周波数内動作を実行する、請求項３８に記載のネットワークノード（１８００）。
【請求項４１】
前記第２のセルの前記第２の測定リソースの周波数が前記参照測定リソースの周波数と同じではないとき、前記ユーザ機器（１７００）が、前記第２のセルで前記異周波数間動作を実行する、請求項３８に記載のネットワークノード（１８００）。
【請求項４２】
前記第２のセルが前記同一周波数キャリアで動作するか前記異周波数キャリアで動作するかの前記判定が、少なくとも部分的に、周波数内の予め規定された位置に基づく、請求項３８から４１のいずれか一項に記載のネットワークノード（１８００）。
【請求項４３】
前記第２のセルが前記同一周波数キャリアで動作するか前記異周波数キャリアで動作するかの前記判定が、少なくとも部分的に、前記参照測定リソースの１つ又は複数のルールに基づき、前記ルールが、前記参照測定リソースは前記ＵＥ（１７００）のためのページングリソースに関連していることと、前記参照測定リソースは前記ＵＥ（１７００）のための前記ページングリソースのサブセットであることと、前記参照測定リソースは前記ページングリソースに関連する同期信号（ＳＳ）ブロック又はＳＳバースト又はＳＳバーストセットであることと、前記参照測定リソースは周波数ドメイン内の前記ページングリソースに最も近い前記ＳＳブロック又はＳＳバースト又はＳＳバーストセットであることと、前記参照測定リソースは無線リンクモニタリング（ＲＬＭ）のために設定されることと、前記参照測定リソースは設定された同一周波数内測定帯域幅内であることと、前記参照測定リソースが、前記ＵＥ（１７００）が情報又はチャンネルを受信する、制御チャンネルを含むことと、前記参照測定リソースは、前記ＵＥ（１７００）が情報又はチャンネルを受信する、前記周波数ドメイン内の探索空間を含むことと、前記参照測定リソースは前記ＵＥ（１７００）へのサービングセル専用送信を含むことと、前記参照測定リソースは最大ＵＥ帯域幅のリソースであることと、前記参照測定リソースは少なくとも１つのチャンネル状態情報−参照信号リソースグループのリソースを含むことと、前記参照測定リソースはチャンネルラスタと一致することと、前記参照測定リソースは同期ラスタと一致することとを含む、請求項３８から４２のいずれか一項に記載のネットワークノード（１８００）。
【請求項４４】
前記第１の及び第２の測定リソースが、ＳＳブロック又はＣＳＩ−ＲＳを含む、請求項３８から４３のいずれか一項に記載のネットワークノード（１８００）。
【請求項４５】
前記命令がさらに、前記第２のセルが前記同一周波数キャリアで動作するか前記異周波数キャリアで動作するかの前記判定に応答して、前記ユーザ機器（１７００）に送信される測定設定を前記ネットワークノード（１８００）に適応させる、請求項３８から４４のいずれか一項に記載のネットワークノード（１８００）。
【請求項４６】
前記命令がさらに、前記第２のセルが前記同一周波数キャリアで動作するか前記異周波数キャリアで動作するかの前記判定に応答して前記ネットワークノード（１８００）に前記ユーザ機器（１７００）へのアップリンク及び／又はダウンリンクにおける信号のスケジューリングを適応させる、請求項３８から４５のいずれか一項に記載のネットワークノード（１８００）。
【請求項４７】
同一周波数内動作及び異周波数間動作を判定するための通信システムであって、
参照測定リソースとして第１のセルの第１の測定リソースを取得し、
第２のセルの第２の測定リソースと前記第１のセルの前記第１の測定リソースとが同じタイプである前記第２のセルの前記第２の測定リソースを取得し
ユーザ機器（１７００）に前記参照測定リソース及び前記第２のセルの第２の測定リソースを送信するように設定された少なくとも１つの処理回路を備えるネットワークノード（１８００）と、
前記ネットワークノード（１８００）から前記参照測定リソース及び前記第２のセルの前記第２の測定リソースを受信し、
前記第２のセルの前記第２の測定リソースと前記参照測定リソースを比較することによって、前記第２のセルが同一周波数キャリアで動作するか異周波数キャリアで動作するかを判定するように設定された少なくとも１つの処理回路を備えるネットワーク内のユーザ機器（１７００）と
を備える、通信システム。
【発明の詳細な説明】
【技術分野】
【０００１】
特定の実施形態は、同一周波数内動作と異周波数間動作との区別の分野に関し、より詳細には、５Ｇ世代無線におけるユーザ機器のための同一周波数内動作及び異周波数間動作を判定するための方法、装置及びシステムに関する。
【背景技術】
【０００２】
新無線（ＮＲ：Ｎｅｗ  Ｒａｄｉｏ）アーキテクチャに関して、第３世代パートナシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）において標準化され始めた無線の観点からのアーキテクチャ、いわゆる５Ｇシステム、及びいわゆるＮＲは、無線インターフェースの名称である。より高い侵入損失などのより厳しい伝搬条件を有することが知られている場合、特性の１つは、ＬＴＥより高い周波数、たとえば６ＧＨｚを超える、にまで及ぶ周波数範囲である。これらの影響の一部を軽減するために、ビーム形成などのマルチアンテナ技術が、大規模に使用されることになる。さらに別のＮＲ特性は、セルにおける若しくはユーザ機器（ＵＥ：ｕｓｅｒ  ｅｑｕｉｐｍｅｎｔ）のための及び／又は異なる周波数帯でのダウンリンク（ＤＬ：ｄｏｗｎｌｉｎｋ）及びアップリンク（ＵＬ：ｕｐｌｉｎｋ）での複数のヌメロロジの使用である。さらに別の特性は、より短いレイテンシを可能にする実現性である。
【０００３】
ＮＲアーキテクチャは、３ＧＰＰにおいて論じられており、現在の概念が図１に示され、ｅＮＢはＬＴＥ  ｅＮｏｄｅＢを示し、ｇＮＢはＮＲ基地局（ＢＳ：ｂａｓｅ  ｓｔａｔｉｏｎ）を示す（１つのＮＲ  ＢＳは、１つ又は複数の送信／受信点に対応し得る）、そして、ノード間の線は、３ＧＰＰにおいて議論されている対応するインターフェースを示す。
【０００４】
さらに、図２は、３ＧＰＰにおいて議論されているＮＲ  ＢＳを有する配備シナリオを示す。スタンドアロンＮＲ配備及び非スタンドアロンＮＲ配備の両方が、３ＧＰＰにおいて標準化されることになる。スタンドアロン配備は、単一又はマルチキャリア（たとえば、ＮＲ１次セル（ＰＣｅｌｌ）及びＮＲ１次２次セル（ＰＳＣｅｌｌ）を有するＮＲキャリアアグリゲーション（ＣＡ：ｃａｒｒｉｅｒ  ａｇｇｒｅｇａｔｉｏｎ）又はデュアルコネクティビティ）でもよい。非スタンドアロン配備は、ＬＴＥ  ＰＣｅｌｌ及びＮＲ  ＰＳＣｅｌｌを有する配備を表すことが現在意図されている（１つ又は複数のＬＴＥ２次セル（ＳＣｅｌｌ）及び１つ又は複数のＮＲ  ＳＣｅｌｌもまた存在し得る）。
【０００５】
以下の配備オプションは、ＮＲ作業項目説明［ＲＰ−１７０８４７、Ｎｅｗ  ＷＩＤ  ｏｎ  Ｎｅｗ  Ｒａｄｉｏ  Ａｃｃｅｓｓ  Ｔｅｃｈｎｏｌｏｇｙ（新無線アクセス技術での新作業項目説明）、ＮＴＴドコモ、２０１８年３月］において明示的にとらえられている：
この作業項目は、以下の接続性オプションをサポートすることを目的とする：
単一接続性オプションのための：
−  ５Ｇコアネットワーク（ＣＮ）に接続されたＮＲ（ＴＲ３８．８０１セクション７．１のオプション２）。
デュアルコネクティビティオプションのための：
−  Ｅ−ＵＴＲＡがマスタであるＥＰＣを介するＥ−ＵＴＲＡ−ＮＲ  ＤＣ（ＴＲ３８．８０１セクション１０．１．２におけるオプション３／３ａ／３ｘ）、
−  Ｅ−ＵＴＲＡがマスタである５Ｇ−ＣＮを介するＥ−ＵＴＲＡ−ＮＲ  ＤＣ（ＴＲ３８．８０１セクション１０．１．４におけるオプション７／７ａ／７ｘ）、
−  ＮＲがマスタである５Ｇ−ＣＮを介するＮＲ−Ｅ−ＵＴＲＡ  ＤＣ（ＴＲ３８．８０１セクション１０．１．３におけるオプション４／４Ａ）、そして、
−  オプション４／４Ａでの作業は、オプション２、３シリーズ及び７シリーズでの作業が完了した後に開始されることになる。
【０００６】
優先度はＥ−ＵＴＲＡがマスタである場合であり、第２の優先度はＮＲがマスタである場合である、Ｅ−ＵＴＲＡとＮＲとの間のデュアルコネクティビティ（ＤＣ：Ｄｕａｌ  Ｃｏｎｎｅｃｔｉｖｉｔｙ）と、ＮＲ内のデュアルコネクティビティ。
【０００７】
図３は、同一周波数内及び異周波数間ＵＥ動作の複数の測定シナリオを示す。ＵＥは、同一周波数内動作（たとえば、無線リンクモニタリング（ＲＬＭ：ｒａｄｉｏ  ｌｉｎｋ  ｍｏｎｉｔｏｒｉｎｇ）、同一周波数内測定、同一周波数内システム情報（ＳＩ：ｓｙｓｔｅｍ  ｉｎｆｏｒｍａｔｉｏｎ）読取り、同一周波数内セル識別など）と、異周波数間／無線間アクセス技術（ＲＡＴ：ｉｎｔｅｒ−ｒａｄｉｏ  ａｃｃｅｓｓ  ｔｅｃｈｎｏｌｏｇｙ））動作（たとえば、異周波数間測定、異周波数間ＳＩ読取り、異周波数間セル識別など）とを実行する。
【０００８】
異周波数間／ＲＡＴ間動作を実行するために、ＵＥは、通常は、測定ギャップを必要とするが、同一周波数内動作については、帯域幅の限定されたＦｅＭＴＣ（ｆｕｒｔｈｅｒ  ｅｎｈａｎｃｅｍｅｎｔｓ  ｆｏｒ  ｍａｃｈｉｎｅ−ｔｙｐｅ  ｃｏｍｍｕｎｉｃａｔｉｏｎ、マシンタイプ通信のためのさらなる拡張）ＵＥを除いて、測定ギャップは一般に必要とされない。周期性４０ｍｓ又は８０ｍｓを有するギャップパターンが、ＬＴＥにおいて使用される。たとえば、３６．３００では、同一周波数内隣接（セル）測定及び異周波数間隣接（セル）測定は、以下のように定義される。
【０００９】
同一周波数内隣接（セル）測定に関して、現在のセル及び目標セルが同じ（サービング）キャリア周波数で動作するとき、ＵＥによって実行される隣接セル測定は同一周波数内測定である。異周波数間隣接（セル）測定に関して、隣接セルが、現在のセルと比較して、異なるキャリア周波数で動作するとき、ＵＥによって実行される隣接セル測定は、異周波数間測定である。
【００１０】
測定が非ギャップ支援型かギャップ支援型かは、ＵＥの能力及び現在の動作周波数に依存する。非ギャップ支援型シナリオでは、ＵＥは、測定ギャップなしにそのような測定を実行することができることになる。ギャップ支援型シナリオで、ＵＥは、測定ギャップなしにそのような測定を実行することができると想定されるべきではない。ＵＥは、特定のセル測定が送信／受信ギャップにおいて実行される必要があるかどうかを判定し、スケジューラは、ギャップが必要とされるかどうかを知る必要がある。
【００１１】
図３は、目標セルが同一周波数キャリアで動作するか異周波数キャリアで動作するか、及び測定が非ギャップ支援型かギャップ支援型かを示す複数のシナリオを示す。
【００１２】
シナリオＡに関して、現在のセル及び目標セルは、同じキャリア周波数及びセル帯域幅を有する。シナリオＡは同一周波数内シナリオであり、測定は非ギャップ支援型である。
【００１３】
シナリオＢに関して、現在のセル及び目標セルは同じキャリア周波数を有し、目標セルの帯域幅は現在のセルの帯域幅より小さい。シナリオＢは同一周波数内シナリオであり、測定は非ギャップ支援型である。
【００１４】
シナリオＣに関して、現在のセル及び目標セルは同じキャリア周波数を有し、目標セルの帯域幅は現在のセルの帯域幅より大きい。シナリオＣは同一周波数内シナリオであり、測定は非ギャップ支援型である。
【００１５】
シナリオＤに関して、現在のセル及び目標セルは異なるキャリア周波数を有し、目標セルの帯域幅は現在のセルの帯域幅より小さく、そして、目標セルの帯域幅は現在のセルの帯域幅内にある。シナリオＤは異周波数間シナリオであり、測定はギャップ支援型である。
【００１６】
シナリオＥに関して、現在のセル及び目標セルは異なるキャリア周波数を有し、目標セルの帯域幅は現在のセルの帯域幅より大きく、そして、現在のセルの帯域幅は目標セルの帯域幅内にある。シナリオＥは異周波数間シナリオであり、測定はギャップ支援型である。
【００１７】
シナリオＦに関して、現在のセル及び目標セルは、異なるキャリア周波数及び重複しない帯域幅を有する。シナリオＦは異周波数間シナリオであり、測定はギャップ支援型である。
【００１８】
シナリオＧに関して、現在のセル及び目標セルは同じキャリア周波数を有し、帯域幅低減低複雑度（ＢＬ：ｂａｎｄｗｉｄｔｈ  ｒｅｄｕｃｅｄ  ｌｏｗ  ｃｏｍｐｌｅｘｉｔｙ）ＵＥ又は拡張カバレッジ内のＵＥの動作周波数は、現在のセルの中央周波数とアラインされることを保証されない。シナリオＧは同一周波数内シナリオであり、測定はギャップ支援型である。
【００１９】
ＬＴＥにおいて、キャリアの中央周波数はＤＣキャリアを含み、物理信号及びマルチキャスト／ブロードキャストチャンネル（たとえば、同期信号、ポジショニング参照信号（ＰＲＳ：ｐｏｓｉｔｉｏｎｉｎｇ  ｒｅｆｅｒｅｎｃｅ  ｓｉｇｎａｌ）、物理ブロードキャストチャンネル（ＰＢＣＨ：ｐｈｙｓｉｃａｌ  ｂｒｏａｄｃａｓｔ  ｃｈａｎｎｅｌ）など）は、ＤＣに関して中央に置かれる。
【００２０】
現在、ある特定の課題が存在する。ＮＲにおける大きな帯域幅に加えて、同期信号及びＳＳブロックは、システム帯域幅内で必ずしも中央に置かれない。さらに、複数のＳＳブロックは、同じ又は異なる時間リソース（たとえば、サブフレーム）において、キャリア帯域幅内にネットワークによって設定され得る。同一周波数内と異周波数間とをどのように区別するかは、不明瞭になる。
【発明の概要】
【００２１】
既存の解決法で前述の問題に対処するために、帯域内制御シグナリングを使用するバッファ処理のための方法及びネットワークノードが開示される。
【００２２】
いくつかの実施形態が、本開示において詳述される。第１の実施形態によれば、ＵＥが、同一周波数内動作（たとえば、測定など）のための参照として使用される第１のサービングセル（セル１）に属する１つの又は１セットの参照又はアンカ無線測定リソース（ＲＭＲ：ｒａｄｉｏ  ｍｅａｓｕｒｅｍｅｎｔ  ｒｅｓｏｕｒｃｅ）を決定する。この決定はまた、次のうちの１つ又は複数に基づき得る：ルール又はネットワークノードからのシグナリング／インジケーション。ＵＥはまた、２つ以上のサービングセル、たとえば、セル１、セル２、セル３、で動作／設定され得る。各サービングセルについて、ＵＥは、独立して、対応するＲＭＲを取得し、対応する同一周波数内セルを決定することになる。
【００２３】
第２の実施形態によれば、同一周波数内動作のための決定された周波数リソースに基づいて、ＵＥは、以下のうちの１つ又は複数のために前述の情報を使用する：隣接セル（Ｃｅｌｌ２）が同一周波数内隣接セルか異周波数間隣接セルかを判定すること、同一周波数内動作と異周波数間動作との区別（たとえば、異なって同一周波数内動作及び異周波数間動作を実行すること、同一周波数内動作及び異周波数間動作のための少なくとも１つの異なるステップを実行すること、無線測定などの同タイプの動作について異なる同一周波数内要件及び異周波数間要件を満たしつつ動作すること）と、それの帯域幅、たとえば、測定帯域幅（ＢＷ：ｂａｎｄｗｉｄｔｈ）又は参照帯域幅（ＲＦ  ＢＷ：ｒｅｆｅｒｅｎｃｅ  ｂａｎｄｗｉｄｔｈ）、を設定すること、それの送信を設定すること（たとえば、時分割複信（ＴＤＤ：ｔｉｍｅ  ｄｉｖｉｓｉｏｎ  ｄｕｐｌｅｘ）動作などにおいて、ＵＥ送信帯域幅が、決定された同一周波数内リソースを超越しない）など。
【００２４】
別の実施形態では、ユーザ機器において使用するための方法は、参照測定リソースとして第１のセルの第１の測定リソースを取得することを含む。本方法は、第２のセルの第２の測定リソースを取得することを追加で含み、第２のセルの第２の測定リソースと第１のセルの第１の測定リソースとは、同じタイプである。本方法はさらに、第２のセルの第２の測定リソースと参照測定リソースを比較することによって、第２のセルが同一周波数キャリアで動作するか異周波数キャリアで動作するかを判定することを含む。
【００２５】
別の実施形態では、ユーザ機器は、ネットワークノードから受信されたインジケーションに基づく参照測定リソースに関する情報を取得する。さらに別の実施形態において、本明細書に記載のユーザ機器は、第２のセルが同一周波数キャリアで動作するか異周波数キャリアで動作するかの判定に応答して測定手続きを適応させる。
【００２６】
さらに別の実施形態において、ネットワークノードにおいて使用するための方法は、参照測定リソースとして第１のセルの第１の測定リソースを取得することを含む。本方法は、第２のセルの第２の測定リソースを取得することを追加で含み、第２のセルの第２の測定リソースと第１のセルの第１の測定リソースとは、同じタイプである。本方法はさらに、第２のセルの第２の測定リソースと参照測定リソースを比較することによって、第２のセルが同一周波数キャリアで動作するか異周波数キャリアで動作するかを判定することと、第２のセルが同一周波数キャリアで動作するか異周波数キャリアで動作するかの判定に関する情報をユーザ機器に送信することとを含む。
【００２７】
別の実施形態では、ネットワークノードは、同一周波数内ＲＭＲを判定し、同一周波数内ＲＭＲ設定を別のノード、たとえば、別のネットワークノード又は別のＵＥ、に提供する。さらに別の実施形態において、ネットワークノードは、取得されたＲＭＲに関する情報をユーザ機器に送信する。
【００２８】
ある種の実施形態では、第１の及び第２の測定リソースは、ＳＳブロック又はＣＳＩ−ＲＳを含む。ある種の実施形態では、本明細書に記載のネットワークノードはさらに、第２のセルが同一周波数キャリアで動作するか異周波数キャリアで動作するかの判定に応答してユーザ機器に送信される測定設定を適応させることを含む。
【００２９】
特定の実施形態は、ＵＥ及びネットワークノードについて説明される。１つの実施形態において、同一周波数内動作及び異周波数間動作を判定するためのユーザ機器は、少なくとも１つの処理回路と、プロセッサ実行可能な命令を記憶する少なくとも１つのストレージであって、処理回路によって実行されたとき、それは、ユーザ機器に、参照測定リソースとして第１のセルの第１の測定リソースを取得させ、第２のセルの第２の測定リソースと第１のセルの第１の測定リソースとが同タイプである第２のセルの第２の測定リソースを取得させ、第２のセルの第２の測定リソースと参照測定リソースを比較することによって第２のセルが同一周波数キャリアで動作するか異周波数キャリアで動作するかを判定させる、少なくとも１つのストレージとを備える。
【００３０】
１つの実施形態において、ユーザ機器のための同一周波数内動作及び異周波数間動作を判定するためのネットワークノードは、少なくとも１つの処理回路と、プロセッサ実行可能な命令を記憶する少なくとも１つのストレージであって、処理回路によって実行されたとき、それは、ネットワークノードに、第２のセルの第２の測定リソースと第１のセルの第１の測定リソースとが同じタイプである第２のセルの第２の測定リソースを取得させ、第２のセルの第２の測定リソースと参照測定リソースを比較することによって第２のセルが同一周波数キャリアで動作するか異周波数キャリアで動作するかを判定させ、第２のセルが同一周波数キャリアで動作するか異周波数キャリアで動作するかの判定に関する情報をユーザ機器に送信させる、少なくとも１つのストレージとを備える。
【００３１】
別の実施形態では、同一周波数内動作及び異周波数間動作を判定するための通信システムは、少なくとも１つの処理回路を備えるネットワークノードであって、少なくとも１つの処理回路は、参照測定リソースとして第１のセルの第１の測定リソースを取得し、第２のセルの第２の測定リソースと第１のセルの第１の測定リソースとが同じタイプである第２のセルの第２の測定リソースを取得し、参照測定リソース及び第２のセルの第２の測定リソースをユーザ機器に送信するように設定された、ネットワークノードと、少なくとも１つの処理回路を備えるネットワーク内のユーザ機器であって、ネットワークノードから参照測定リソース及び第２のセルの第２の測定リソースを受信し、第２のセルの第２の測定リソースと参照測定リソースを比較することによって第２のセルが同一周波数キャリアで動作するか異周波数キャリアで動作するかを判定するように設定された、ユーザ機器とを備える。
【００３２】
本開示のある種の態様及びそれらの実施形態は、これら又は他の課題に対する解決策を提供し得る。本明細書で開示される問題点のうちの１つ又は複数に対処する様々な実施形態が本明細書で提案されている。
【００３３】
ある種の実施形態は、以下の技術的利点のうちの１つ又は複数を提供し得る。本開示で開示される方法は、ＮＲにおける同一周波数内動作と異周波数間動作とを区別する可能性を提供し得る。同一周波数内動作及び異周波数間動作は、通常は、完全に異なるパフォーマンスを有するので、ネットワークがＵＥパフォーマンスを制御することができるように、本方法はさらに、ネットワークに知られている、ＵＥビヘイビアを規定し得る。
【００３４】
様々な他の特徴及び利点は、以下の詳細な説明及び図面を考慮すれば、当業者には明らかとなろう。ある種の実施形態は、挙げられた利点のうちのいずれも有さない、いくつかを有する、又はすべてを有することがある。
【００３５】
本明細書に組み込まれ、その一部を形成する添付の図面は、本開示の原理を説明するのに役立つ説明と共に、本開示のいくつかの態様を示す。
【図面の簡単な説明】
【００３６】
【図１】第３世代パートナシッププロジェクトにおける例示的新無線アーキテクチャを示す図である。
【図２】３ＧＰＰにおける新無線基地局を有する例示的配備シナリオを示す図である。
【図３】同一周波数内及び異周波数間ＵＥ動作の複数の測定シナリオを示す図である。
【図４】ある種の実施形態による、例示的ワイヤレスネットワークを示す図である。
【図５】ある種の実施形態による、例示的ユーザ機器を示す図である。
【図６】ある種の実施形態による、例示的仮想化環境を示す図である。
【図７】ある種の実施形態による、ホストコンピュータに中間ネットワークを介して接続された例示的電気通信ネットワークを示す図である。
【図８】ある種の実施形態による、部分的にワイヤレスな接続を介してユーザ機器と基地局を介して通信する例示的ホストコンピュータを示す図である。
【図９】ある種の実施形態による、ホストコンピュータ、基地局及びユーザ機器を含む通信システムにおいて実装された例示的方法を示す図である。
【図１０】ある種の実施形態による、ホストコンピュータ、基地局及びユーザ機器を含む通信システムにおいて実装されたもう１つの例示的方法を示す図である。
【図１１】ある種の実施形態による、ホストコンピュータ、基地局及びユーザ機器を含む通信システムにおいて実装されたさらにもう１つの例示的方法を示す図である。
【図１２】ある種の実施形態による、ホストコンピュータ、基地局及びユーザ機器を含む通信システムにおいて実装されたさらに別の例示的方法を示す図である。
【図１３】ある種の実施形態による、同期信号（ＳＳ：ｓｙｎｃｈｒｏｎｉｚａｔｉｏｎ  ｓｉｇｎａｌ）ブロック、ＳＳバースト及びＳＳバーストセットの例示的設定を示す図である。
【図１４】ある種の実施形態による、同一周波数内及び異周波数間ＵＥ動作の複数の測定シナリオを示す図である。
【図１５】ある種の実施形態による、ユーザ機器における方法の流れ図である。
【図１６】ある種の実施形態による、ネットワークノードにおけるもう１つの方法の流れ図である。
【図１７】ある種の実施形態による、例示的ユーザ機器のブロック図である。
【図１８】ある種の実施形態による、例示的ネットワークノードのブロック図である。
【発明を実施するための形態】
【００３７】
通常のＬＴＥシステムでは、現在のセル及び目標セルは、同じ周波数（同一周波数内シナリオ）で、及び／又は異なる周波数（異周波数間シナリオ）で動作することができる。目標セルが現在のセルに隣接し、同一周波数キャリア（ｉｎｔｒａ−ｆｒｅｑｕｅｎｃｙ  ｃａｒｒｉｅｒ）で動作するときに干渉が生じることがあり、不十分な帯域幅によるあらゆるハンドオーバについて異周波数間動作を実行することは望ましくないので、同一周波数内動作か異周波数間動作かの選択は、重大になる。ＵＥは、目標セルが異周波数キャリア（ｉｎｔｅｒ−ｆｒｅｑｕｅｎｃｙ  ｃａｒｒｉｅｒ）で動作することを示す測定値を受信した後に、再設定を実行する必要がある。これは、時に、レイテンシ又はハンドオーバ失敗につながる。
【００３８】
さらに、より大きな帯域幅を有するＮＲシステムでは、同期信号及びＳＳブロックは、システム帯域幅内で必ずしも中央に置かれない。複数のＳＳブロックは、同じ又は異なる時間リソース（たとえば、サブフレーム）において、キャリア帯域幅内にネットワークによって設定され得る。したがって、ＮＲ内のＵＥの同一周波数内動作と異周波数間動作とを区別するための本開示における方法は、前述の問題に対する解決策を提供する。本開示における方法は、参照測定リソースと目標測定リソースとの比較に基づいて、目標セルが同一周波数キャリアで動作するか異周波数キャリアで動作するかを判定し、同一周波数内動作と異周波数間動作とを区別する。
【００３９】
ここで、本明細書で意図された実施形態のうちのいくつかを、添付の図面を参照して、より完全に説明する。しかしながら、他の実施形態が、本明細書で開示される主題の範囲内に含まれ、開示される主題は、本明細書に記載の実施形態のみに限定されるものとして解釈されるべきではなく、これらの実施形態は、当業者に本主題の範囲を伝えるための例として提供される。
【００４０】
一般に、本明細書で使用されるすべての用語は、それが使用されている文脈から異なる意味が明確に与えられる及び／又は暗示されるのでない限り、関連技術分野におけるそれらの通常の意味に従って解釈されるものとする。１つの／その（ａ／ａｎ／ｔｈｅ）要素、装置、構成要素、手段、ステップなどのすべての参照は、特に明記のない限り、要素、装置、構成要素、手段、ステップなどの少なくとも１つの例を参照するものとしてオープンに解釈されるものとする。ステップが別のステップに続く若しくは先行するものとして明示的に記載されていない限り、及び／又はステップが別のステップに続く若しくは先行する必要があるということが黙示的である場合、本明細書で開示されるいずれの方法のステップも、開示されている正確な順番で実行される必要はない。本明細書で開示される実施形態のいずれかの任意の特徴は、適切な場合には、任意の他の実施形態に適用され得る。同様に、いずれかの実施形態の任意の利点は、任意の他の実施形態に適用することができ、逆もまた同様である。含まれる実施形態の他の目的、特徴及び利点が、以下の説明から明らかとなろう。
【００４１】
一部の実施形態では、非制限的用語「ＵＥ」が使用される。本明細書でのＵＥは、無線信号を介してネットワークノード又は別のＵＥと通信する能力を有する任意のタイプのワイヤレスデバイスでもよい。ＵＥはまた、無線通信デバイス、目標デバイス、デバイス対デバイス（Ｄ２Ｄ：ｄｅｖｉｃｅ  ｔｏ  ｄｅｖｉｃｅ）ＵＥ、マシンタイプＵＥ又はマシン対マシン通信（Ｍ２Ｍ：ｍａｃｈｉｎｅ  ｔｏ  ｍａｃｈｉｎｅ）の能力を有するＵＥ、ＵＥ装備センサ、ｉＰＡＤ、タブレット、モバイル端末、スマートフォン、ラップトップ埋め込み装備（ＬＥＥ：ｌａｐｔｏｐ  ｅｍｂｅｄｄｅｄ  ｅｑｕｉｐｐｅｄ）、ラップトップ搭載機器（ＬＭＥ：ｌａｐｔｏｐ  ｍｏｕｎｔｅｄ  ｅｑｕｉｐｍｅｎｔ）、ＵＳＢドングル、加入者宅内機器（ＣＰＥ：Ｃｕｓｔｏｍｅｒ  Ｐｒｅｍｉｓｅｓ  Ｅｑｕｉｐｍｅｎｔ）などでもよい。
【００４２】
また、一部の実施形態では、一般的専門用語「ネットワークノード」が使用される。それは、基地局、無線基地局、基地局トランシーバ、基地局コントローラ、ネットワークコントローラ、マルチスタンダード無線ＢＳ、ｇＮＢ、ＮＲ  ＢＳ、発展型ノードＢ（ｅＮＢ：ｅｖｏｌｖｅｄ  Ｎｏｄｅ  Ｂ）、ノードＢ、マルチセル／マルチキャストコーディネーションエンティティ（ＭＣＥ：Ｍｕｌｔｉ−ｃｅｌｌ／ｍｕｌｔｉｃａｓｔ  Ｃｏｏｒｄｉｎａｔｉｏｎ  Ｅｎｔｉｔｙ）、リレーノード、アクセスポイント、無線アクセスポイント、リモート無線ユニット（ＲＲＵ：Ｒｅｍｏｔｅ  Ｒａｄｉｏ  Ｕｎｉｔ）リモート無線ヘッド（ＲＲＨ：Ｒｅｍｏｔｅ  Ｒａｄｉｏ  Ｈｅａｄ）、マルチスタンダードＢＳ（別名ＭＳＲ  ＢＳ）、コアネットワークノード（たとえば、ＭＭＥ、ＳＯＮノード、調整ノード、ポジショニングノード、ＭＤＴノードなど）、或いは外部ノード（たとえば、サードパーティノード、現在のネットワークの外部のノード）などの無線ネットワークノードを備え得る、任意の種類のネットワークノードでもよい。ネットワークノードはまた、テスト機器を備え得る。
【００４３】
本明細書で使用される「無線ノード」という用語は、ＵＥ又は無線ネットワークノードを示すために使用され得る。
【００４４】
本明細書で使用される「シグナリング」という用語は、次のうちのいずれかを備え得る：高位レイヤシグナリング（たとえば、無線リソース制御（ＲＲＣ：ｒａｄｉｏ  ｒｅｓｏｕｒｃｅ  ｃｏｎｔｒｏｌ）などを介する）、低位レイヤシグナリング（たとえば、物理制御チャンネル又はブロードキャストチャンネルを介する）、或いはその組合せ。シグナリングは、黙示的又は明示的でもよい。シグナリングはさらに、ユニキャスト、マルチキャスト又はブロードキャストでもよい。シグナリングはまた、別のノードに直接又は第３のノードを介し得る。
【００４５】
本明細書で使用される「無線測定」という用語は、無線信号で実行される任意の測定を参照し得る。無線測定値は、絶対的又は相対的になり得る。無線測定値は、信号品質及び／又は信号強度でもよい信号レベルと称され得る。無線測定値は、たとえば、同一周波数内、異周波数間、ＲＡＴ間測定値、ＣＡ測定値などになり得る。無線測定値は、単向性（たとえば、ＤＬ又はＵＬ）又は双方向性（たとえば、ＲＴＴ、Ｒｘ−Ｔｘなど）になり得る。無線測定値のいくつかの例は：タイミング測定値（たとえば、ＴＯＡ、タイミングアドバンス、ＲＴＴ、ＲＳＴＤ、Ｒｘ−Ｔｘ、伝搬遅延など）、角度測定値（たとえば、到達の角度）、電力ベースの測定値（たとえば、受信信号電力、ＲＳＲＰ、受信信号品質、ＲＳＲＱ、ＳＩＮＲ、ＳＮＲ、干渉電力、全干渉プラス雑音、ＲＳＳＩ、雑音電力など）、セル検出又はセル識別、無線リンクモニタリング（ＲＬＭ）、システム情報（ＳＩ）読取りなど。ＵＥがギャップなしにそのような測定を行う能力を有さない限り、異周波数間及びＲＡＴ間測定は、測定ギャップにおいてＵＥによって実行される。測定ギャップの例は、測定ギャップＩＤ＃０（４０ｍｓごとに生じる６ｍｓの各ギャップ）、測定ギャップＩＤ＃１（８０ｍｓごとに生じる６ｍｓの各ギャップ）などである。測定ギャップは、ネットワークノードによってＵＥにおいて設定される。
【００４６】
キャリアの測定を実行することは、そのキャリアで動作する１つ又は複数のセルの信号の測定を実行すること、又はキャリアの信号の測定（別名、キャリア特有の測定、たとえばＲＳＳＩ）を実行することを暗示し得る。セル特有の測定の例は、信号強度、信号品質などである。
【００４７】
本明細書で使用される測定パフォーマンスという用語は、無線ノードによって実行される測定のパフォーマンスの特性を示す任意の基準又はメトリックを指し得る。測定パフォーマンスという用語はまた、測定要件、測定パフォーマンス要件などとも呼ばれる。無線ノードは、実行される測定に関する１つ又は複数の測定パフォーマンス基準を満たさなければならない。測定パフォーマンス基準の例には、測定時間、測定時間と測定されることになるセルの数、測定報告遅延、測定精度、参照値に関する測定精度（たとえば、理想的測定結果）などがある。測定時間の例には、測定期間、セル識別期間、評価期間などがある。
【００４８】
本明細書でヌメロロジという用語は、次のうちの任意の１つ又はその組合せを含み得る：サブキャリア間隔、帯域幅内のサブキャリアの数、リソースブロックサイズ、シンボルの長さ、ＣＰの長さなど。１つの特定の非制限的例では、ヌメロロジは、７．５ｋＨｚ、１５ｋＨｚ、３０ｋＨｚ、６０ｋＨｚ、１２０ｋＨｚ、又は２４０ｋＨｚのサブキャリア間隔を含む。別の例では、ヌメロロジは、３０ｋＨｚ以上のサブキャリア間隔で使用され得るＣＰの長さである。
【００４９】
本明細書で使用される帯域幅（ＢＷ）という用語は、それを介してノードが別のノードに信号を送信する及び／又は別のノードから信号を受信する周波数の範囲である。ＢＷは、動作帯域幅、チャンネル帯域幅、システム帯域幅、設定された帯域幅、送信帯域幅、セル帯域幅、セル送信ＢＷ、キャリア帯域幅などと同義で呼ばれる。ＢＷは、以下のうちの任意の１つで表現することができる：いくつかの物理チャンネル（たとえば、Ｇ３リソースブロック、Ｇ４サブキャリアなど）に関して、Ｇ１  ＭＨｚ、Ｇ２  ＧＨｚ。１つの例では、ＢＷは保護周波数帯を含むことができ、その一方で、別の例では、ＢＷは保護周波数帯を除くことができる。たとえば、システム又はチャンネルＢＷは保護周波数帯を含むことができ、一方で、送信帯域幅は保護周波数帯なしのＢＷから成る。簡単にするために、ＢＷという用語が、実施形態において使用される。
【００５０】
本明細書に記載の実施形態は、任意のマルチキャリアシステムに適用可能であり、ここで、少なくとも２つの無線ネットワークノードが、同じＵＥの無線測定値を設定することができる。１つの特定の例示的シナリオは、ＬＴＥ  ＰＣｅｌｌ及びＮＲ  ＰＳＣｅｌｌを有するデュアルコネクティビティ配備を含む。もう１つの例示的シナリオは、ＮＲ  ＰＣｅｌｌ及びＮＲ  ＰＳＣｅｌｌを有するデュアルコネクティビティ配備である。
【００５１】
図４は、ある種の実施形態によるある種の実施形態による、例示的ワイヤレスネットワークである。本明細書に記載の主題は、任意の適切な構成要素を使用する任意の適切なタイプのシステムにおいて実装され得るが、本明細書で開示される実施形態は、図４に示された例示的ワイヤレスネットワークなど、ワイヤレスネットワークに関連して説明される。簡単にするために、図４のワイヤレスネットワークは、ネットワーク４０６、ネットワークノード４６０及び４６０ｂ、並びにワイヤレスデバイス（ＷＤ：ｗｉｒｅｌｅｓｓ  ｄｅｖｉｃｅ）４１０、４１０ｂ、及び４１０ｃのみを示す。実際には、ワイヤレスネットワークは、ワイヤレスデバイス間の通信或いはワイヤレスデバイスと固定電話、サービスプロバイダ、又は任意の他のネットワークノード若しくはエンドデバイスなどの別の通信デバイスとの間の通信をサポートするのに適した任意の付加的要素をさらに含み得る。図示された構成要素について、ネットワークノード４６０及びワイヤレスデバイス（ＷＤ）４１０は、さらに詳しく描かれている。ある種の実施形態では、ネットワークノード４６０は、図１６及び１８にさらに示されたネットワークノードでもよい。一部の実施形態では、ネットワークノード４６０は、図７から１２にさらに示された基地局でもよい。ある種の実施形態では、ワイヤレスデバイス４１０は、図５、７〜１２、及び１４〜１６にさらに示されたユーザ機器でもよい。ワイヤレスネットワークは、ワイヤレスネットワークによって又はこれを介して提供されるサービスへのワイヤレスデバイスのアクセス及び／又はそのようなサービスのワイヤレスデバイスの使用を円滑にするために、通信及び他のタイプのサービスを１つ又は複数のワイヤレスデバイスに提供し得る。
【００５２】
ワイヤレスネットワークは、任意のタイプの通信、電気通信、データ、セルラ、及び／又は無線ネットワーク又は他の類似のタイプのシステムを備える、及び／又はそれらとインターフェースすることができる。一部の実施形態では、ワイヤレスネットワークは、特定の標準又は他のタイプの予め規定されたルール又は手続きに従って動作するように設定され得る。したがって、ワイヤレスネットワークの特定の実施形態は、グローバルシステムフォーモバイルコミュニケーションズ（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎｓ）、ユニバーサルモバイル通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ロングタームエボリューション（ＬＴＥ：Ｌｏｎｇ  Ｔｅｒｍ  Ｅｖｏｌｕｔｉｏｎ）及び／又は他の適切な２Ｇ、３Ｇ、４Ｇ、又は５Ｇ標準などの通信標準、ＩＥＥＥ８０２．１１標準などのワイヤレスローカルエリアネットワーク（ＷＬＡＮ：ｗｉｒｅｌｅｓｓ  ｌｏｃａｌ  ａｒｅａ  ｎｅｔｗｏｒｋ）標準、並びに／或いは、ＷｉＭａｘ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ブルートゥース、Ｚ−Ｗａｖｅ及び／又はＺｉｇＢｅｅ標準などの任意の他の適切なワイヤレス通信標準を実装し得る。
【００５３】
ネットワーク４０６は、１つ又は複数のバックホールネットワーク、コアネットワーク、ＩＰネットワーク、公衆交換電話網（ＰＳＴＮ：ｐｕｂｌｉｃ  ｓｗｉｔｃｈｅｄ  ｔｅｌｅｐｈｏｎｅ  ｎｅｔｗｏｒｋ）、パケットデータネットワーク、光ネットワーク、ワイドエリアネットワーク（ＷＡＮ）、ローカルエリアネットワーク（ＬＡＮ）、ワイヤレスローカルエリアネットワーク（ＷＬＡＮ）、ワイヤードネットワーク、ワイヤレスネットワーク、メトロポリタンエリアネットワーク、及び、デバイス間の通信を可能にするための他のネットワークを備え得る。
【００５４】
ネットワークノード４６０及びＷＤ４１０は、さらに詳しく後述される様々な構成要素を備える。これらの構成要素は、ワイヤレスネットワークにおいてワイヤレス接続を提供することなど、ネットワークノード及び／又はワイヤレスデバイス機能性を提供するために連携する。異なる実施形態において、ワイヤレスネットワークは、任意の数のワイヤード又はワイヤレスネットワーク、ネットワークノード、基地局、コントローラ、ワイヤレスデバイス、リレー局、並びに／或いは、ワイヤード接続又はワイヤレス接続のいずれを介してでもデータ及び／又は信号の通信を円滑にする又はこれに参加する任意の他の構成要素又はシステムを備え得る。
【００５５】
本明細書では、ネットワークノードは、ワイヤレスデバイスへのワイヤレスアクセスを可能にする及び／又は提供するためにワイヤレスデバイスと及び／又はワイヤレスネットワーク内の他のネットワークノード又は機器と直接的又は間接的に通信する並びに／或いはワイヤレスネットワークにおいて他の機能（たとえば、管理）を実行する能力を有する、そのように設定された、配置された及び／又は動作可能な機器を指す。ネットワークノードの例は、アクセスポイント（ＡＰ）（たとえば、無線アクセスポイント）、基地局（ＢＳ）（たとえば、無線基地局、ノードＢ、発展型ノードＢ（ｅＮＢ）及びＮＲ  ＮｏｄｅＢ（ｇＮＢ））を含むが、これらに限定されない。基地局は、それらが提供するカバレッジの量（又は、つまり、それらの送信電力レベル）に基づいて分類することができ、その場合、フェムト基地局、ピコ基地局、マイクロ基地局、又はマクロ基地局と呼ばれることもある。基地局は、リレーノード又はリレーを制御するリレードナーノードでもよい。ネットワークノードはまた、集中型デジタルユニット及び／又はリモート無線ユニット（ＲＲＵ）、リモート無線ヘッド（ＲＲＨ）と時に称される、などの分散型無線基地局の１つ又は複数の（又はすべての）部分を含み得る。そのようなリモート無線ユニットは、アンテナ統合無線のようにアンテナと統合されても統合されなくてもよい。分散型無線基地局の部分は、分散型アンテナシステム（ＤＡＳ：ｄｉｓｔｒｉｂｕｔｅｄ  ａｎｔｅｎｎａ  ｓｙｓｔｅｍ）内のノードと呼ばれることもある。ネットワークノードのさらなる例は、ＭＳＲ  ＢＳなどのマルチスタンダード無線（ＭＳＲ：ｍｕｌｔｉ−ｓｔａｎｄａｒｄ  ｒａｄｉｏ）機器、無線ネットワークコントローラ（ＲＮＣ：ｒａｄｉｏ  ｎｅｔｗｏｒｋ  ｃｏｎｔｒｏｌｌｅｒ）又は基地局コントローラ（ＢＳＣ：ｂａｓｅ  ｓｔａｔｉｏｎ  ｃｏｎｔｒｏｌｌｅｒ）などのネットワークコントローラ、基地局トランシーバ（ＢＴＳ：ｂａｓｅ  ｔｒａｎｓｃｅｉｖｅｒ  ｓｔａｔｉｏｎ）、送信ポイント、送信ノード、マルチセル／マルチキャストコーディネーションエンティティ（ＭＣＥ：ｍｕｌｔｉ−ｃｅｌｌ／ｍｕｌｔｉｃａｓｔ  ｃｏｏｒｄｉｎａｔｉｏｎ  ｅｎｔｉｔｙ）、コアネットワークノード（たとえば、ＭＳＣ、ＭＭＥ）、Ｏ＆Ｍノード、ＯＳＳノード、ＳＯＮノード、ポジショニングノード（たとえば、Ｅ−ＳＭＬＣ）、及び／又はＭＤＴを含む。別の例として、ネットワークノードは、さらに詳しく後述するような仮想ネットワークノードでもよい。しかしながら、より一般的には、ネットワークノードは、ワイヤレスネットワークへのアクセスをワイヤレスデバイスに可能にする及び／又は提供するための或いはワイヤレスネットワークにアクセスしたワイヤレスデバイスに何らかのサービスを提供するための能力を有する、そのように設定された、配置された、及び／又は動作可能な任意の適切なデバイス（又はデバイスのグループ）を表し得る。
【００５６】
図４において、ネットワークノード４６０は、処理回路４７０、デバイス可読媒体４８０、インターフェース４９０、補助機器４８４、電源４８６、電力回路４８７、及びアンテナ４６２を含む。図４の例示的ワイヤレスネットワークに示されたネットワークノード４６０は、ハードウェア構成要素の図示された組合せを含むデバイスを表し得るが、他の実施形態は、構成要素の異なる組合せを有するネットワークノードを備え得る。タスク、特徴、機能及び本明細書で開示される方法を実行するために必要とされるハードウェア及び／又はソフトウェアの任意の適切な組合せをネットワークノードは備えることが、理解されよう。さらに、ネットワークノード４６０の構成要素は、より大きなボックス内に位置する又は複数のボックス内にネストされた単一ボックスとして図示されているが、実際には、ネットワークノードは、単一の図示された構成要素を構成する複数の異なる物理構成要素を備え得る（たとえば、デバイス可読媒体４８０は、複数の別個のハードドライブ並びに複数のＲＡＭモジュールを備え得る）。
【００５７】
同様に、ネットワークノード４６０は、独自のそれぞれの構成要素をそれぞれが有し得る複数の物理的に別個の構成要素（たとえば、ＮｏｄｅＢ構成要素及びＲＮＣ構成要素、又はＢＴＳ構成要素及びＢＳＣ構成要素など）で構成され得る。ネットワークノード４６０が複数の別個の構成要素（たとえば、ＢＴＳ及びＢＳＣ構成要素）を備えるある種のシナリオでは、別個の構成要素のうちの１つ又は複数は、いくつかのネットワークノードの間で共用され得る。たとえば、単一ＲＮＣは、複数のＮｏｄｅＢを制御し得る。そのようなシナリオでは、各固有のＮｏｄｅＢ及びＲＮＣペアは、場合によっては、単一の別個のネットワークノードと考えられ得る。一部の実施形態では、ネットワークノード４６０は、複数の無線アクセス技術（ＲＡＴ）をサポートするように設定され得る。そのような実施形態では、いくつかの構成要素は、二重にされ得（たとえば、異なるＲＡＴのための別個のデバイス可読媒体４８０）、いくつかの構成要素は再使用され得る（たとえば、同じアンテナ４６２がＲＡＴによって共用され得る）。一部の実施形態では、ネットワークノード４６０は、図１５に関して説明される同一周波数内動作及び異周波数間動作の判定など、ワイヤレスデバイス４１０の機能を実行し得る。ネットワークノード４６０はまた、たとえば、ＧＳＭ、ＷＣＤＭＡ、ＬＴＥ、ＮＲ、ＷｉＦｉ、又はブルートゥースワイヤレス技術など、ネットワークノード４６０に統合された異なるワイヤレス技術のための様々な図示された構成要素の複数のセットを含み得る。これらのワイヤレス技術は、ネットワークノード４６０内の同じ又は異なるチップ又はチップのセット及び他の構成要素内に統合され得る。
【００５８】
処理回路４７０は、ネットワークノードによって提供されているものとして本明細書に記載された任意の判定、計算又は類似の動作（たとえば、ある種の取得動作）を実行するように設定される。処理回路４７０によって実行されるこれらの動作は、たとえば、取得された情報を他の情報に変換すること、取得された情報又は変換された情報をネットワークノードに記憶された情報と比較すること、及び／又は取得された情報又は変換された情報に基づいて１つ又は複数の動作を実行することによって、処理回路４７０によって取得された情報を処理すること、並びに前記処理の結果として判定を行うことを含み得る。特定の実施形態において、ネットワークノード４６０の処理回路４７０は、図１５及び１６にさらに図示された方法を実行し得る。
【００５９】
処理回路４７０は、マイクロプロセッサ、コントローラ、マイクロコントローラ、中央処理装置、デジタル信号プロセッサ、特定用途向け集積回路、フィールドプログラマブルゲートアレイ、又は任意の他の適切なコンピューティングデバイスのうちの１つ又は複数の組合せ、リソース、或いは、単独で又はデバイス可読媒体４８０などの他のネットワークノード４６０構成要素と併せて、ネットワークノード４６０機能を提供するように動作可能なハードウェア、ソフトウェア及び／又は符号化されたロジックの組合せを備え得る。たとえば、処理回路４７０は、デバイス可読媒体４８０に又は処理回路４７０内のメモリに記憶された命令を実行し得る。そのような機能性は、本明細書で論じられる様々なワイヤレス特徴、機能、又は利益のいずれかの提供を含み得る。一部の実施形態では、処理回路４７０は、システムオンチップ（ＳＯＣ）を含み得る。
【００６０】
一部の実施形態では、処理回路４７０は、無線周波数（ＲＦ）トランシーバ回路４７２及びベースバンド処理回路４７４のうちの１つ又は複数を含み得る。一部の実施形態では、無線周波数（ＲＦ）トランシーバ回路４７２及びベースバンド処理回路４７４は、別個のチップ（又はチップのセット）、ボード、又は、無線ユニット及びデジタルユニットなどのユニット上でもよい。代替実施形態において、ＲＦトランシーバ回路４７２及びベースバンド処理回路４７４の一部又はすべては、同じチップ又はチップのセット、ボード、又はユニット上でもよい。
【００６１】
ある種の実施形態では、ネットワークノード、基地局、ｅＮＢ又は他のそのようなネットワークデバイスによって提供されているものとしての本明細書に記載の機能性の一部又はすべては、デバイス可読媒体４８０又は処理回路４７０内のメモリに記憶された命令を実行する処理回路４７０によって実行され得る。代替実施形態において、機能性のうちの一部又はすべては、ハードワイヤード方式などで、別個の又はディスクリートデバイスの可読媒体に記憶された命令を実行することなしに処理回路４７０によって提供され得る。それらの実施形態のいずれにおいてでも、デバイス可読記憶媒体に記憶された命令を実行してもしなくても、処理回路４７０は、記載された機能を実行するように設定することができる。そのような機能によってもたらされる利益は、単独で処理回路４７０に又はネットワークノード４６０の他の構成要素に制限されないが、ネットワークノード４６０全体によって、並びに／或いは一般にエンドユーザ及びワイヤレスネットワークによって享受される。
【００６２】
デバイス可読媒体４８０は、処理回路４７０によって使用され得る情報、データ、及び／又は命令を記憶する永続記憶装置、ソリッドステートメモリ、リモートに搭載されたメモリ、磁気媒体、光媒体、ランダムアクセスメモリ（ＲＡＭ）、読取り専用メモリ（ＲＯＭ）、大容量記憶媒体（たとえば、ハードディスク）、取り外し可能記憶媒体（たとえば、フラッシュドライブ、コンパクトディスク（ＣＤ）又はデジタル多用途ディスク（ＤＶＤ））、及び／又は任意の他の揮発性又は不揮発性の、非一時的デバイス可読及び／又はコンピュータ実行可能なメモリデバイスを含むがこれらに限定されない、任意の形の揮発性又は不揮発性コンピュータ可読メモリを備え得る。デバイス可読媒体４８０は、コンピュータプログラム、ソフトウェア、ロジック、ルール、コード、テーブルなどのうちの１つ又は複数を含むアプリケーション、及び／又は処理回路４７０によって実行することができる及びネットワークノード４６０によって使用することができる他の命令を含む、任意の適切な命令、データ又は情報を記憶し得る。デバイス可読媒体４８０は、処理回路４７０によって行われる任意の計算及び／又はインターフェース４９０を介して受信される任意のデータを記憶するために使用され得る。一部の実施形態では、処理回路４７０及びデバイス可読媒体４８０は、統合されると考えられ得る。
【００６３】
インターフェース４９０は、ネットワークノード４６０、ネットワーク４０６、及び／又はＷＤ４１０の間のシグナリング及び／又はデータのワイヤード又はワイヤレス通信において使用される。図示されているように、インターフェース４９０は、たとえば、ワイヤード接続を介してネットワーク４０６に及びネットワーク４０６から、データを送信及び受信するために、ポート／端末４９４を備える。インターフェース４９０はまた、アンテナ４６２に連結され得る又はある種の実施形態においてアンテナ４６２の一部であることがある、無線フロントエンド回路４９２を含む。無線フロントエンド回路４９２は、フィルタ４９８及び増幅器４９６を備える。無線フロントエンド回路４９２は、アンテナ４６２及び処理回路４７０に接続され得る。無線フロントエンド回路は、アンテナ４６２と処理回路４７０との間で通信される信号を調整するように設定され得る。無線フロントエンド回路４９２は、ワイヤレス接続を介して他のネットワークノード又はＷＤに送出されることになるデジタルデータを受信し得る。無線フロントエンド回路４９２は、フィルタ４９８及び／又は増幅器４９６の組合せを使用する適切なチャンネル及び帯域幅パラメータを有する無線信号にデジタルデータを変換し得る。無線信号は、次いで、アンテナ４６２を介して送信され得る。同様に、データを受信するとき、アンテナ４６２は、次いで無線フロントエンド回路４９２によってデジタルデータに変換される無線信号を収集し得る。デジタルデータは、処理回路４７０に渡され得る。他の実施形態において、インターフェースは、異なる構成要素及び／又は異なる組合せの構成要素を備え得る。
【００６４】
ある種の代替実施形態において、ネットワークノード４６０は、別個の無線フロントエンド回路４９２を含まないことがあり、代わりに、処理回路４７０が、無線フロントエンド回路を備え得、別個の無線フロントエンド回路４９２なしにアンテナ４６２に接続され得る。同様に、一部の実施形態では、すべての又は一部のＲＦトランシーバ回路４７２は、インターフェース４９０の一部と考えられ得る。さらに他の実施形態において、インターフェース４９０は、１つ又は複数のポート又は端末４９４、無線フロントエンド回路４９２、並びにＲＦトランシーバ回路４７２、無線ユニット（図示せず）の一部としての、を含み得、そして、インターフェース４９０は、デジタルユニット（図示せず）の一部であるベースバンド処理回路４７４と通信し得る。
【００６５】
アンテナ４６２は、ワイヤレス信号を送信及び／又は受信するように設定された、１つ又は複数のアンテナ、又はアンテナアレイを含み得る。アンテナ４６２は、無線フロントエンド回路４９０に結合され得、ワイヤレスにデータ及び／又は信号を送信及び受信する能力を有する任意のタイプのアンテナでもよい。一部の実施形態では、アンテナ４６２は、たとえば、２ＧＨｚと６６ＧＨｚとの間で、無線信号を送信／受信するように動作可能な１つ又は複数の全方向性の、セクタ又はパネルアンテナを備え得る。全方向性アンテナは、任意の方向において無線信号を送信／受信するために使用され得、セクタアンテナは、特定のエリア内のデバイスから無線信号を送信／受信するために使用され得、そして、パネルアンテナは、相対的に直線で無線信号を送信／受信するために使用されるサイトアンテナのラインでもよい。場合によっては、複数のアンテナの使用は、ＭＩＭＯと称され得る。ある種の実施形態では、アンテナ４６２は、ネットワークノード４６０とは別個でもよく、インターフェース又はポートを介してネットワークノード４６０に接続可能になり得る。
【００６６】
アンテナ４６２、インターフェース４９０、及び／又は処理回路４７０は、ネットワークノードによって実行されるものとして本明細書に記載された任意の受信動作及び／又はある種の取得動作を実行するように設定され得る。任意の情報、データ及び／又は信号が、ワイヤレスデバイス、別のネットワークノード及び／又は任意の他のネットワーク機器から受信され得る。同様に、アンテナ４６２、インターフェース４９０、及び／又は処理回路４７０は、ネットワークノードによって実行されるものとして本明細書に記載された任意の送信動作を実行するように設定され得る。任意の情報、データ及び／又は信号が、ワイヤレスデバイス、別のネットワークノード及び／又は任意の他のネットワーク機器に送信され得る。
【００６７】
電力回路４８７は、電力管理回路を備え得る、又はこれに連結され得、本明細書に記載の機能性を実行するための電力をネットワークノード４６０の構成要素に供給するように設定される。電力回路４８７は、電源４８６から電力を受信し得る。電源４８６及び／又は電力回路４８７は、それぞれの構成要素に適した形でネットワークノード４０６の様々な構成要素に電力を提供する（たとえば、それぞれの構成要素のために必要とされる電圧及び電流レベルで）ように設定され得る。電源４８６は、電力回路４８７及び／又はネットワークノード４６０に含まれても、これらの外部でもよい。たとえば、ネットワークノード４６０は、電気ケーブルなどの入力回路又はインターフェースを介して外部電源（たとえば、電気コンセント）に接続可能になり得、それにより、外部電源が電力回路４８７に電力を供給する。さらなる例として、電源４８６は、電力回路４８７に接続された又はこれに統合された、バッテリ又はバッテリパックの形で電力のソースを備え得る。バッテリは、外部電源が切れた場合に非常用電源を提供し得る。光電池デバイスなどの他のタイプの電源もまた使用され得る。
【００６８】
ネットワークノード４６０の代替実施形態は、本明細書に記載の機能性及び／又は本明細書に記載の主題をサポートするために必要な任意の機能性のうちのいずれかを含む、ネットワークノードの機能性のある種の態様を提供する責任を負い得る図４に示されたものを超える追加の構成要素を含み得る。たとえば、ネットワークノード４６０は、ネットワークノード４６０への情報の入力を可能にするために、及びネットワークノード４６０からの情報の出力を可能にするために、ユーザインターフェース機器を含み得る。これは、ネットワークノード４６０のための診断、メンテナンス、修理、及び他の管理機能をユーザが実行することを可能にし得る。
【００６９】
本明細書では、ワイヤレスデバイス（ＷＤ）は、ネットワークノード及び／又は他のワイヤレスデバイスとワイヤレスに通信する能力を有する、そのように設定された、配置された及び／又は動作可能なデバイスを指す。特に断りのない限り、ＷＤという用語は、ユーザ機器（ＵＥ）と同義で本明細書において使用され得る。ある種の実施形態では、ワイヤレスデバイス４１０は、図１３〜１５及び１７にさらに示されたユーザ機器でもよい。ワイヤレスに通信することは、電磁波、無線波、赤外線波、及び／又は電波を介して情報を伝えるのに適した他のタイプの信号を使用してワイヤレス信号を送信／受信することを含み得る。一部の実施形態では、ＷＤは、直接の人間の相互作用なしに情報を送信及び／又は受信するように設定され得る。たとえば、ＷＤは、内部又は外部イベントによってトリガされたとき、又はネットワークからの要求に応答して、所定のスケジュールでネットワークに情報を送信するように設計され得る。ＷＤの例は、スマートフォン、携帯電話、セルフォン、ボイスオーバーＩＰ（ＶｏＩＰ）フォン、ワイヤレスローカルループフォン、デスクトップコンピュータ、携帯情報端末（ＰＤＡ）、ワイヤレスカメラ、ゲーム機又はデバイス、音楽記憶デバイス、再生装置、ウェアラブル端末デバイス、ワイヤレスエンドポイント、モバイル局、タブレット、ラップトップ、ラップトップ埋め込み機器（ＬＥＥ）、ラップトップ搭載機器（ＬＭＥ）、スマートデバイス、ワイヤレス顧客構内機器（ＣＰＥ）。車両搭載ワイヤレス端末デバイスなどを含むが、これらに限定されない。ＷＤは、たとえば、サイドリンク通信、車両対車両（Ｖ２Ｖ：ｖｅｈｉｃｌｅ−ｔｏ−ｖｅｈｉｃｌｅ）、車両対インフラストラクチャ（Ｖ２Ｉ：ｖｅｈｉｃｌｅ−ｔｏ−ｉｎｆｒａｓｔｒｕｃｔｕｒｅ）、車両対あらゆる物（Ｖ２Ｘ：ｖｅｈｉｃｌｅ−ｔｏ−ｅｖｅｒｙｔｈｉｎｇ）の３ＧＰＰ標準を実装することによって、デバイス対デバイス（Ｄ２Ｄ）通信をサポートすることができ、この場合、Ｄ２Ｄ通信デバイスと称され得る。さらに別の特定の例として、ＩｏＴ（Ｉｎｔｅｒｎｅｔ  ｏｆ  Ｔｈｉｎｇｓ）シナリオにおいて、ＷＤは、モニタリング及び／又は測定を実行する及びそのようなモニタリング及び／又は測定の結果を別のＷＤ及び／又はネットワークノードに送信するマシン又は他のデバイスを表し得る。ＷＤは、この場合、３ＧＰＰコンテキストではＭＴＣデバイスと称され得るマシン対マシン（Ｍ２Ｍ）デバイスでもよい。１つの特定の例として、ＷＤは、３ＧＰＰ  ＮＢ−ＩｏＴ（ｎａｒｒｏｗ  ｂａｎｄ  ｉｎｔｅｒｎｅｔ  ｏｆ  ｔｈｉｎｇｓ）標準を実装するＵＥでもよい。そのようなマシン又はデバイスの具体的な例は、センサ、電力メータなどの計測デバイス、産業マシン、又は家庭用若しくは個人用器具（たとえば、冷蔵庫、テレビジョンなど）、パーソナルウェアラブル（たとえば、腕時計、フィットネストラッカなど）である。他のシナリオにおいて、ＷＤは、その動作状況の監視及び／又は報告或いはその動作に関連する他の機能の能力を有する車両又は他の機器を表し得る。前述のようなＷＤは、ワイヤレス接続のエンドポイントを表し得、その場合、デバイスはワイヤレス端末と���され得る。さらに、前述のようなＷＤは、モバイルでもよく、その場合、それはモバイルデバイス又はモバイル端末とも称され得る。
【００７０】
図示されているように、ワイヤレスデバイス４１０は、アンテナ４１１、インターフェース４１４、処理回路４２０、デバイス可読媒体４３０、ユーザインターフェース機器４３２、補助機器４３４、電源４３６及び電力回路４３７を含む。ＷＤ４１０は、たとえば、少し例を挙げると、ＧＳＭ、ＷＣＤＭＡ、ＬＴＥ、ＮＲ、ＷｉＦｉ、ＷｉＭＡＸ、又はブルートゥースワイヤレス技術など、ＷＤ４１０によってサポートされる異なるワイヤレス技術のための、図示された構成要素のうちの１つ又は複数の構成要素の複数のセットを含み得る。これらのワイヤレス技術は、ＷＤ４１０内の他の構成要素と同じ又は異なるチップ又はチップのセットに統合され得る。
【００７１】
アンテナ４１１は、ワイヤレス信号を送信及び／又は受信するように設定された１つ又は複数のアンテナ又はアンテナアレイを含み得、インターフェース４１４に接続される。ある種の代替実施形態において、アンテナ４１１は、ＷＤ４１０とは別個でもよく、インターフェース又はポートを介してＷＤ４１０に接続可能になり得る。アンテナ４１１、インターフェース４１４、及び／又は処理回路４２０は、ＷＤによって実行されるものとして本明細書に記載されている任意の受信又は送信動作を実行するように設定され得る。任意の情報、データ及び／又は信号が、ネットワークノード及び／又は別のＷＤから受信され得る。一部の実施形態では、無線フロントエンド回路及び／又はアンテナ４１１は、インターフェースと考えられ得る。
【００７２】
図示されているように、インターフェース４１４は、無線フロントエンド回路４１２及びアンテナ４１１を備える。無線フロントエンド回路４１２は、１つ又は複数のフィルタ４１８及び増幅器４１６を備える。無線フロントエンド回路４１４は、アンテナ４１１及び処理回路４２０に接続され、アンテナ４１１と処理回路４２０との間で通信される信号を調整するように設定される。無線フロントエンド回路４１２は、アンテナ４１１に連結され得る、又はアンテナ４１１の一部でもよい。一部の実施形態では、ＷＤ４１０は、別個の無線フロントエンド回路４１２を含まないことがあり、そうではなくて、処理回路４２０は、無線フロントエンド回路を備え得、アンテナ４１１に接続され得る。同様に、一部の実施形態では、ＲＦトランシーバ回路４２２の一部又はすべては、インターフェース４１４の一部と考えられ得る。無線フロントエンド回路４１２は、ワイヤレス接続を介して他のネットワークノード又はＷＤに送出されることになるデジタルデータを受信し得る。無線フロントエンド回路４１２は、フィルタ４１８及び／又は増幅器４１６の組合せを使用して適切なチャンネル及び帯域幅パラメータを有する無線信号にデジタルデータを変換し得る。無線信号は、次いで、アンテナ４１１を介して送信され得る。同様に、データを受信しているとき、アンテナ４１１は、次いで無線フロントエンド回路４１２によってデジタルデータに変換される、無線信号を収集し得る。デジタルデータは、処理回路４２０に渡され得る。他の実施形態において、インターフェースは、異なる構成要素及び／又は異なる組合せの構成要素を備え得る。
【００７３】
処理回路４２０は、マイクロプロセッサ、コントローラ、マイクロコントローラ、中央処理装置、デジタル信号プロセッサ、特定用途向け集積回路、フィールドプログラマブルゲートアレイ、又は任意の他の適切なコンピューティングデバイスのうちの１つ又は複数の組合せ、リソース、或いは、単独で又はデバイス可読媒体４３０などの他のＷＤ４１０構成要素と連動して、ＷＤ４１０機能性を提供するように動作可能なハードウェア、ソフトウェア、及び／又は符号化されたロジックの組合せを備え得る。そのような機能性は、本明細書で論じられる様々なワイヤレス特徴又は利益のいずれかの提供を含み得る。たとえば、処理回路４２０は、本明細書で開示される機能性を提供するために、デバイス可読媒体４３０に又は処理回路４２０内のメモリに記憶された命令を実行し得る。特定の実施形態において、ワイヤレスデバイス４１０の処理回路４２０は、図１５にさらに示された方法を実行し得る。
【００７４】
図示されているように、処理回路４２０は、ＲＦトランシーバ回路４２２、ベースバンド処理回路４２４、及びアプリケーション処理回路４２６のうちの１つ又は複数を含む。他の実施形態において、処理回路は、異なる構成要素及び／又は異なる組合せの構成要素を備え得る。ある種の実施形態では、ＷＤ４１０の処理回路４２０は、ＳＯＣを備え得る。一部の実施形態では、ＲＦトランシーバ回路４２２、ベースバンド処理回路４２４、及びアプリケーション処理回路４２６は、別個のチップ又はチップのセット上にあることがある。代替実施形態において、ベースバンド処理回路４２４及びアプリケーション処理回路４２６の一部又はすべては、１つのチップ又はチップのセット内に結合され得、ＲＦトランシーバ回路４２２は、別個のチップ又はチップのセット上にあってもよい。さらに代替実施形態において、ＲＦトランシーバ回路４２２及びベースバンド処理回路４２４の一部又はすべては、同じチップ又はチップのセット上にあることがあり、アプリケーション処理回路４２６は、別個のチップ又はチップのセット上にあることがある。さらに他の代替実施形態において、ＲＦトランシーバ回路４２２、ベースバンド処理回路４２４、及びアプリケーション処理回路４２６の一部又はすべては、同じチップ又はチップのセット内に結合され得る。一部の実施形態では、ＲＦトランシーバ回路４２２は、インターフェース４１４の一部でもよい。ＲＦトランシーバ回路４２２は、処理回路４２０のＲＦ信号を調整し得る。
【００７５】
ある種の実施形態では、ＷＤによって実行されるものとして本明細書に記載の機能性の一部又はすべては、ある種の実施形態ではコンピュータ可読記憶媒体であることがある、デバイス可読媒体４３０に記憶された命令を実行する処理回路４２０によって提供され得る。代替実施形態において、機能性の一部の又はすべては、ハードワイヤード方式などで、別個の又はディスクリートデバイスの可読記憶媒体に記憶された命令を実行することなしに処理回路４２０によって提供され得る。それらの特定の実施形態のいずれかにおいて、デバイス可読記憶媒体に記憶された命令を実行してもしなくても、処理回路４２０は、記載された機能性を実行するように設定することができる。そのような機能性によって提供される利益は、単独で処理回路４２０に又はＷＤ４１０の他の構成要素に限定されず、全体としてのＷＤ４１０によって、及び／又は一般にエンドユーザ及びワイヤレスネットワークによって、享受される。
【００７６】
処理回路４２０は、ＷＤによって実行されるものとして本明細書に記載された任意の決定、計算、又は類似の動作（たとえば、ある種の取得動作）を実行するように設定され得る。処理回路４２０によって実行されるものとしての、これらの動作は、たとえば、取得された情報を他の情報に変換すること、取得された情報又は変換された情報をＷＤ４１０によって記憶された情報と比較すること、及び／又は取得された情報又は変換された情報に基づいて１つ又は複数の動作を実行することにより、処理回路４２０によって取得された情報を処理すること、並びに前記処理の結果として判定を行うことを含み得る。
【００７７】
デバイス可読媒体４３０は、コンピュータプログラム、ソフトウェア、ロジック、ルール、コード、テーブルなどのうちの１つ又は複数を含むアプリケーション及び／又は処理回路４２０によって実行することが可能な他の命令を記憶するように動作可能になり得る。デバイス可読媒体４３０は、コンピュータメモリ（たとえば、ランダムアクセスメモリ（ＲＡＭ）又は読取り専用メモリ（ＲＯＭ））、大容量記憶媒体（たとえば、ハードディスク）、取り外し可能記憶媒体（たとえば、コンパクトディスク（ＣＤ）又はデジタルビデオディスク（ＤＶＤ））、及び／又は処理回路４２０によって使用され得る情報、データ、及び／又は命令を記憶する任意の他の揮発性又は不揮発性の、非一時的デバイス可読及び／又はコンピュータ実行可能メモリデバイスを含み得る。一部の実施形態では、処理回路４２０及びデバイス可読媒体４３０は、統合されたものとして考えられ得る。
【００７８】
ユーザインターフェース機器４３２は、人間のユーザがＷＤ４１０と相互作用することを可能にする構成要素を提供し得る。そのような相互作用は、視覚、聴覚、触覚などの多数の形態をとり得る。ユーザインターフェース機器４３２は、ユーザへの出力を生み出すように及びユーザが入力をＷＤ４１０に提供することを可能にするように動作可能になり得る。相互作用のタイプは、ＷＤ４１０にインストールされたユーザインターフェース機器４３２のタイプに応じて変化し得る。たとえば、ＷＤ４１０がスマートフォンである場合には、相互作用はタッチスクリーンを介し得、ＷＤ４１０がスマートメーターである場合には、相互作用は、使用量（たとえば、使用されたガロン数）を提供するスクリーン又は警報音を提供する（たとえば、煙が検知された場合に）スピーカを介し得る。ユーザインターフェース機器４３２は、入力インターフェース、デバイス及び回路と、出力インターフェース、デバイス及び回路とを含み得る。ユーザインターフェース機器４３２は、ＷＤ４１０への情報の入力を可能にするように設定され、処理回路４２０に接続されて処理回路４２０が入力情報を処理することを可能にする。ユーザインターフェース機器４３２は、たとえば、マイクロフォン、近接若しくは他のセンサ、キー／ボタン、タッチディスプレイ、１つ又は複数のカメラ、ＵＳＢポート、又は他の入力回路を含み得る。ユーザインターフェース機器４３２はまた、ＷＤ４１０からの情報の出力を可能にするように、及び処理回路４２０がＷＤ４１０から情報を出力することを可能にするように設定される。ユーザインターフェース機器４３２は、たとえば、スピーカ、ディスプレイ、振動回路、ＵＳＢポート、ヘッドフォンインターフェース、又は他の出力回路を含み得る。ユーザインターフェース機器４３２の１つ又は複数の入力及び出力インターフェース、デバイス、及び回路を使用し、ＷＤ４１０は、エンドユーザ及び／又はワイヤレスネットワークと通信することができ、それらが本明細書に記載の機能性から利益を得ることを可能にし得る。
【００７９】
補助機器４３４は、ＷＤによって一般に実行されないことがあるより多くの特定の機能性を提供するように動作可能である。これは、様々な目的で測定を行うための専門のセンサ、ワイヤード通信などの付加的タイプの通信のためのインターフェースなどを備え得る。補助機器４３４の構成要素の包含及びタイプは、実施形態及び／又はシナリオに応じて異なり得る。
【００８０】
一部の実施形態では、電源４３６は、バッテリ又はバッテリパックの形でもよい。外部電源（たとえば、電気コンセント）、光電池デバイス又は動力電池など、他のタイプの電源もまた使用され得る。ＷＤ４１０はさらに、本明細書に記載又は示された任意の機能性を実行するために電源４３６からの電力を必要とするＷＤ４１０の様々な部分に電源４３６から電力を届けるための電力回路４３７を備え得る。ある種の実施形態では、電力回路４３７は、電力管理回路を備え得る。電力回路４３７は、付加的に又は別法として外部電源から電力を受信するように動作可能になり得、その場合、ＷＤ４１０は、入力回路又は電気動力ケーブルなどのインターフェースを介して外部電源（電気コンセントなど）に接続可能になり得る。ある種の実施形態では、電力回路４３７はまた、外部電源から電源４３６に電力を届けるように動作可能になり得る。これは、たとえば、電源４３６の充電のためでもよい。電力回路４３７は、任意のフォーマッティング、変換、又は他の修正を電源４３６からの電力に実行して、電力を、電力が供給される先のＷＤ４１０のそれぞれの構成要素に適するようにさせることができる。
【００８１】
図５は、本明細書に記載の様々な態様によるＵＥの１つの実施形態を示す。本明細書では、ユーザ機器又はＵＥは、関連デバイスを所有及び／又は操作する人間ユーザという意味でのユーザを必ずしも有さないことがある。そうではなく、ＵＥは、人間ユーザへの販売、又は人間ユーザによる操作向けに意図されるが、特定の人間ユーザに関連付けられていないことがある、又は最初は特定の人間ユーザに関連付けられていないことがあるデバイスを表し得る（たとえば、スマートスプリンクラコントローラ）。別法として、ＵＥは、エンドユーザへの販売又はエンドユーザによる操作向けに意図されていないが、ユーザの利益に関連し得る又はユーザの利益のために操作され得るデバイスを表し得る（たとえば、スマート電力メータ）。ＵＥ５００は、ＮＢ−ＩｏＴ  ＵＥ、マシンタイプ通信（ＭＴＣ：ｍａｃｈｉｎｅ  ｔｙｐｅ  ｃｏｍｍｕｎｉｃａｔｉｏｎ）ＵＥ、及び／又は拡張ＭＴＣ（ｅＭＴＣ：ｅｎｈａｎｃｅｄ  ＭＴＣ）ＵＥを含む、第３世代パートナシッププロジェクト（３ＧＰＰ）によって識別された任意のＵＥでもよい。図５に示されているような、ＵＥ５００は、３ＧＰＰのＧＳＭ、ＵＭＴＳ、ＬＴＥ、及び／又は５Ｇ標準など、第３世代パートナシッププロジェクト（３ＧＰＰ）によって公表された１つ又は複数の通信標準による通信向けに設定されたＷＤの一例である。ある種の実施形態では、ユーザ機器５００は、図１３〜１５及び１７にさらに示されるユーザ機器でもよい。前述のように、ＷＤ及びＵＥという用語は、同義で使用され得る。したがって、図５はＵＥであるが、本明細書で論じられる構成要素は、ＷＤに同等に適用可能であり、逆もまた同様である。
【００８２】
図５では、ＵＥ５００は、入力／出力インターフェース５０５、無線周波数（ＲＦ）インターフェース５０９、ネットワーク接続インターフェース５１１、ランダムアクセスメモリ（ＲＡＭ）５１７、読取り専用メモリ（ＲＯＭ）５１９、及び記憶媒体５２１などを含むメモリ５１５、通信サブシステム５３１、電源５３３、及び／又は任意の他の構成要素、或いはその任意の組合せに動作可能なように連結された、処理回路５０１を含む。記憶媒体５２１は、オペレーティングシステム５２３、アプリケーションプログラム５２５、及びデータ５２７を含む。他の実施形態において、記憶媒体５２１は、他の類似のタイプの情報を含み得る。ある種のＵＥは、図５に示されたすべての構成要素、又はそれらの構成要素のサブセットのみを使用し得る。構成要素間の統合のレベルは、ＵＥによって異なり得る。さらに、ある種のＵＥは、複数のプロセッサ、メモリ、トランシーバ、送信器、受信器などの構成要素の複数のインスタンスを含み得る。
【００８３】
図５では、処理回路５０１は、コンピュータ命令及びデータを処理するように設定され得る。処理回路５０１は、１つ又は複数のハードウェア実装された状態マシン（たとえば、離散的なロジック、ＦＰＧＡ、ＡＳＩＣなどにおける）など、メモリ内のマシン可読コンピュータプログラムとして記憶されたマシン命令を実行するように動作可能な任意の順次状態マシン、適切なファームウェアと一緒のプログラマブルロジック、適切なソフトウェアと一緒の、マイクロプロセッサ又はデジタル信号プロセッサ（ＤＳＰ）などの、１つ又は複数の記憶されたプログラム、汎用プロセッサ、或いは前記の任意の組合せを実装するように設定され得る。たとえば、処理回路５０１は、２つの中央処理装置（ＣＰＵ）を含み得る。データは、コンピュータによる使用に適した形の情報でもよい。
【００８４】
図示された実施形態では、入力／出力インターフェース５０５は、通信インターフェースを入力デバイス、出力デバイス、或いは、入力及び出力デバイスに提供するように設定され得る。ＵＥ５００は、入力／出力インターフェース５０５を介して出力デバイスを使用するように設定され得る。出力デバイスは、入力デバイスと同じタイプのインターフェースポートを使用し得る。たとえば、ＵＳＢポートは、ＵＥ５００への入力及びＵＥ５００からの出力を提供するために使用され得る。出力デバイスは、スピーカ、サウンドカード、ビデオカード、ディスプレイ、モニタ、プリンタ、アクチュエータ、エミッタ、スマートカード、別の出力デバイス、又はその任意の組合せでもよい。ＵＥ５００は、ユーザがＵＥ５００内に情報をキャプチャすることを可能にするために入力／出力インターフェース５０５を介して入力デバイスを使用するように設定され得る。入力デバイスは、タッチセンサ式又はプレゼンスセンサ式ディスプレイ、カメラ（たとえば、デジタルカメラ、デジタルビデオカメラ、ウェブカメラなど）、マイクロフォン、センサ、マウス、トラックボール、方向性パッド、トラックパッド、スクロールホイール、スマートカードなどを含み得る。プレゼンスセンサ式ディスプレイは、ユーザからの入力を感知するための容量性又は抵抗性タッチセンサを含み得る。センサは、たとえば、加速度計、ジャイロスコープ、傾斜センサ、力センサ、磁力計、光センサ、近接センサ、別の同様のセンサ、又はその任意の組合せでもよい。たとえば、入力デバイスは、加速度計、磁力計、デジタルカメラ、マイクロフォン、及び光センサでもよい。
【００８５】
図５では、ＲＦインターフェース５０９は、送信器、受信器、及びアンテナなどのＲＦ構成要素に通信インターフェースを提供するように設定され得る。ネットワーク接続インターフェース５１１は、通信インターフェースをネットワーク５４３ａに提供するように設定され得る。ネットワーク５４３ａは、ローカルエリアネットワーク（ＬＡＮ）、ワイドエリアネットワーク（ＷＡＮ）、コンピュータネットワーク、ワイヤレスネットワーク、電気通信ネットワーク、別の同様のネットワーク又はその任意の組合せなど、ワイヤード及び／又はワイヤレスネットワークを包含し得る。たとえば、ネットワーク５４３ａは、Ｗｉ−Ｆｉネットワークを備え得る。ネットワーク接続インターフェース５１１は、イーサネット、ＴＣＰ／ＩＰ、ＳＯＮＥＴ、ＡＴＭなどの１つ又は複数の通信プロトコルによる通信ネットワークを介して１つ又は複数の他のデバイスと通信するために使用される受信器及び送信器インターフェースを含むように設定され得る。ネットワーク接続インターフェース５１１は、通信ネットワークリンク（たとえば、光、電気など）に適した受信器及び送信器機能性を実装し得る。送信器及び受信器機能は、回路構成要素、ソフトウェア又はファームウェアを共用し得、或いは別法として別個に実装され得る。
【００８６】
ＲＡＭ５１７は、オペレーティングシステム、アプリケーションプログラム、及びデバイスドライバなどのソフトウェアプログラムの実行中にデータ又はコンピュータ命令の記憶又はキャッシュを行うために処理回路５０１にバス５０２を介してインターフェースするように設定され得る。ＲＯＭ５１９は、コンピュータ命令又はデータを処理回路５０１に提供するように設定され得る。たとえば、ＲＯＭ５１９は、基本入力及び出力（Ｉ／Ｏ）、スタートアップ、又は不揮発性メモリに記憶されたキーボードからのキーストロークの受信などの基本システム機能のための不変の低レベルシステムコード又はデータを記憶するように設定され得る。記憶媒体５２１は、ＲＡＭ、ＲＯＭ、プログラマブル読取り専用メモリ（ＰＲＯＭ）、消去可能プログラマブル読取り専用メモリ（ＥＰＲＯＭ）、電気的消去可能プログラマブル読取り専用メモリ（ＥＥＰＲＯＭ）、磁気ディスク、光ディスク、フロッピディスク、ハードディスク、取り外し可能カートリッジ、又はフラッシュドライブなどのメモリを含むように設定され得る。１つの例では、記憶媒体５２１は、オペレーティングシステム５２３、ウェブブラウザアプリケーションなどのアプリケーションプログラム５２５、ウィジェット若しくはガジェットエンジン又は別のアプリケーション、及びデータファイル５２７を含むように設定され得る。記憶媒体５２１は、ＵＥ５００によって使用するために、バラエティ豊かな様々なオペレーティングシステムのいずれか又はオペレーティングシステムの組合せを記憶し得る。
【００８７】
記憶媒体５２１は、ＲＡＩＤ（ｒｅｄｕｎｄａｎｔ  ａｒｒａｙ  ｏｆ  ｉｎｄｅｐｅｎｄｅｎｔ  ｄｉｓｋ）、フロッピディスクドライブ、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ：ｈｉｇｈ−ｄｅｎｓｉｔｙ  ｄｉｇｉｔａｌ  ｖｅｒｓａｔｉｌｅ  ｄｉｓｃ）光ディスクドライブ、内部ハードディスクドライブ、ブルーレイ光ディスクドライブ、ホログラフィックデジタルデータストレージ（ＨＤＤＳ：ｈｏｌｏｇｒａｐｈｉｃ  ｄｉｇｉｔａｌ  ｄａｔａ  ｓｔｏｒａｇｅ）光ディスクドライブ、外部ミニデュアルインラインメモリモジュール（ＤＩＭＭ：ｍｉｎｉ−ｄｕａｌ  ｉｎ−ｌｉｎｅ  ｍｅｍｏｒｙ  ｍｏｄｕｌｅ）、同期型ダイナミックランダムアクセスメモリ（ＳＤＲＡＭ：ｓｙｎｃｈｒｏｎｏｕｓ  ｄｙｎａｍｉｃ  ｒａｎｄｏｍ  ａｃｃｅｓｓ  ｍｅｍｏｒｙ）、外部マイクロＤＩＭＭ  ＳＤＲＡＭ、加入者識別モジュール若しくは取り外し可能ユーザ識別（ＳＩＭ／ＲＵＩＭ：ｓｕｂｓｃｒｉｂｅｒ  ｉｄｅｎｔｉｔｙ  ｍｏｄｕｌｅ  ｏｒ  ａ  ｒｅｍｏｖａｂｌｅ  ｕｓｅｒ  ｉｄｅｎｔｉｔｙ）モジュールなどのスマートカードメモリ、他のメモリ、或いはその任意の組合せなどのいくつかの物理ドライブユニットを含むように設定され得る。記憶媒体５２１は、ＵＥ５００が、一時的又は非一時的メモリ媒体に記憶された、コンピュータで実行可能な命令、アプリケーションプログラムなどにアクセスすること、データをオフロードすること、或いはデータをアップロードすることを可能にし得る。通信システムを使用するものなどの製造品は、デバイス可読媒体を備え得る記憶媒体５２１において有形に実施され得る。
【００８８】
図５において、処理回路５０１は、通信サブシステム５３１を使用するネットワーク５４３ｂと通信するように設定され得る。ネットワーク５４３ａ及びネットワーク５４３ｂは、１つ又は複数の同じネットワーク或いは１つ又は複数の異なるネットワークでもよい。通信サブシステム５３１は、ネットワーク５４３ｂと通信するために使用される１つ又は複数のトランシーバを含むように設定され得る。たとえば、通信サブシステム５３１は、ＩＥＥＥ８０２．５、ＣＤＭＡ、ＷＣＤＭＡ、ＧＳＭ、ＬＴＥ、ＵＴＲＡＮ、ＷｉＭａｘなどの１つ又は複数の通信プロトコルによる無線アクセスネットワーク（ＲＡＮ）の別のＷＤ、ＵＥ、又は基地局など、ワイヤレス通信の能力を有する別のデバイスの１つ又は複数のリモートトランシーバと通信するために使用される１つ又は複数のトランシーバを含むように設定され得る。各トランシーバは、それぞれ、ＲＡＮリンクに適した送信器又は受信器機能性（たとえば、周波数割当てなど）を実装するために送信器５３３及び／又は受信器５３５を含み得る。さらに、各トランシーバの送信器５３３及び受信器５３５は、回路構成要素、ソフトウェア又はファームウェアを共用し得る、或いは別法として別個に実装され得る。
【００８９】
図示された実施形態において、通信サブシステム５３１の通信機能は、データ通信、音声通信、マルチメディア通信、ブルートゥースなどの短距離通信、近距離無線通信、位置を判定するためのグローバルポジショニングシステム（ＧＰＳ）の使用などの位置ベースの通信、別の同様の通信機能、或いはその任意の組合せを含み得る。たとえば、通信サブシステム５３１は、セルラ通信、Ｗｉ−Ｆｉ通信、ブルートゥース通信、及びＧＰＳ通信を含み得る。ネットワーク５４３ｂは、ローカルエリアネットワーク（ＬＡＮ）、ワイドエリアネットワーク（ＷＡＮ）、コンピュータネットワーク、ワイヤレスネットワーク、電気通信ネットワーク、別の同様のネットワーク又はその任意の組合せなど、ワイヤード及び／又はワイヤレスネットワークを包含し得る。たとえば、ネットワーク５４３ｂは、セルラネットワーク、Ｗｉ−Ｆｉネットワーク、及び／又は近距離無線ネットワークでもよい。電源５１３は、交流（ＡＣ）又は直流（ＤＣ）電力をＵＥ５００の構成要素に提供するように設定され得る。
【００９０】
本明細書に記載の特徴、利益及び／又は機能は、ＵＥ５００の構成要素のうちの１つにおいて実装され得る、又はＵＥ５００の複数の構成要素を横断して分割され得る。さらに、本明細書に記載の特徴、利益、及び／又は機能は、ハードウェア、ソフトウェア又はファームウェアの任意の組合せにおいて実装され得る。１つの例では、通信サブシステム５３１は、本明細書に記載の構成要素のいずれかを含むように設定され得る。さらに、処理回路５０１は、バス５０２を介してそのような構成要素のいずれかと通信するように設定され得る。別の例では、そのような構成要素のいずれかは、処理回路５０１によって実行されたときに本明細書に記載の対応する機能を実行するメモリに記憶されたプログラム命令によって表され得る。別の例では、そのような構成要素のうちのいずれかの構成要素の機能性は、処理回路５０１と通信サブシステム５３１との間で分割され得る。別の例では、そのような構成要素のうちのいずれかの構成要素の非計算集約的機能は、ソフトウェア又はファームウェアにおいて実装され得、計算集約的機能は、ハードウェアにおいて実装され得る。
【００９１】
図６は、ある種の実施形態による、例示的仮想化環境を示す。図６は、一部の実施形態によって実装される機能が仮想化され得る仮想化環境６００を示す概略的ブロック図である。これに関連して、仮想化は、ハードウェアプラットフォーム、記憶デバイス及びネットワークリソースの仮想化を含み得る装置又はデバイスの仮想バージョンの作成を意味する。本明細書では、仮想化は、ノード（たとえば、仮想化された基地局又は仮想化された無線アクセスノード）に或いはデバイス（たとえば、ＵＥ、ワイヤレスデバイス又は任意の他のタイプの通信デバイス）又はその構成要素に適用することができ、機能性の少なくとも一部分が１つ又は複数の仮想構成要素として実装される（たとえば、１つ又は複数のアプリケーション、構成要素、機能、仮想マシン又は１つ又は複数のネットワーク内の１つ又は複数の物理処理ノードで実行するコンテナを介して）実装形態に関する。
【００９２】
一部の実施形態では、本明細書に記載の機能の一部又はすべては、ハードウェアノード６３０のうちの１つ又は複数によってホストされる１つ又は複数の仮想環境６００において実装された１つ又は複数の仮想マシンによって実行される仮想構成要素として実装され得る。さらに、仮想ノードが無線アクセスノードではない又は無線接続性（たとえば、コアネットワークノード）を必要としない実施形態では、そのとき、ネットワークノードは、完全に仮想化され得る。
【００９３】
本機能は、本明細書で開示される実施形態のうちのいくつかの実施形態の特徴、機能、及び／又は利益のうちのいくつかを実装するように動作可能な１つ又は複数のアプリケーション６２０（ソフトウェアインスタンス、仮想アプライアンス、ネットワーク機能、仮想ノード、仮想ネットワーク機能などと別称され得る）によって実装され得る。アプリケーション６２０は、処理回路６６０及びメモリ６９０を備えるハードウェア６３０を提供する仮想化環境６００において実行される。メモリ６９０は、処理回路６６０によって実行可能な命令６９５を含み、それにより、アプリケーション６２０は、本明細書で開示される特徴、利益、及び／又は機能のうちの１つ又は複数を提供するように動作可能である。
【００９４】
仮想化環境６００は、民生（ＣＯＴＳ：ｃｏｍｍｅｒｃｉａｌ  ｏｆｆ−ｔｈｅ−ｓｈｅｌｆ）プロセッサ、特定用途向け集積回路（ＡＳＩＣ）、或いはデジタル若しくはアナログハードウェア構成要素又は専用プロセッサを含む任意の他のタイプの処理回路でもよい、１セットの１つ又は複数のプロセッサ又は処理回路６６０を備えた、汎用又は専用ネットワークハードウェアデバイス６３０を備える。各ハードウェアデバイスは、命令６９５又は処理回路６６０によって実行されるソフトウェアを一時的に記憶するための非永続メモリでもよいメモリ６９０−１を備え得る。各ハードウェアデバイスは、物理ネットワークインターフェース６８０を含む、ネットワークインターフェースカードとしても知られる、１つ又は複数のネットワークインターフェースコントローラ（ＮＩＣ：ｎｅｔｗｏｒｋ  ｉｎｔｅｒｆａｃｅ  ｃｏｎｔｒｏｌｌｅｒ）６７０を備え得る。各ハードウェアデバイスはまた、ソフトウェア６９５がそこに記憶された非一時的、永続的、マシン可読記憶媒体６９０−２、及び／又は処理回路６６０によって実行可能な命令を含み得る。ソフトウェア６９５は、１つ又は複数の仮想化レイヤ６５０（ハイパーバイザとも呼ばれる）のインスタンスを作成するためのソフトウェア、仮想マシン６４０を実行するためのソフトウェア、並びに本明細書に記載のいくつかの実施形態に関連して記載された機能、特徴及び／又は利益をそれが実行することを可能にするソフトウェアを含む、任意のタイプのソフトウェアを含み得る。
【００９５】
仮想マシン６４０は、仮想処理、仮想メモリ、仮想ネットワーキング又はインターフェース及び仮想ストレージを備え、対応する仮想化レイヤ６５０又はハイパーバイザによって実行され得る。仮想アプライアンス６２０のインスタンスの異なる実施形態は、仮想マシン６４０のうちの１つ又は複数で実装され得、実装形態は、異なる形で行われ得る。
【００９６】
動作中、処理回路６６０は、仮想マシンモニタ（ＶＭＭ：ｖｉｒｔｕａｌ  ｍａｃｈｉｎｅ  ｍｏｎｉｔｏｒ）と時に称されることがあるハイパーバイザ又は仮想化レイヤ６５０のインスタンスを作成するために、ソフトウェア６９５を実行する。仮想化レイヤ６５０は、仮想マシン６４０にネットワーキングハードウェアのように見える仮想オペレーティングプラットフォームを示し得る。
【００９７】
図６に示されるように、ハードウェア６３０は、一般又は特定の構成要素を有するスタンドアロンネットワークノードでもよい。ハードウェア６３０は、アンテナ６２２５を備え得、仮想化を介していくつかの機能を実装し得る。別法として、ハードウェア６３０は、多数のハードウェアノードが連携する及び、とりわけアプリケーション６２０のライフサイクル管理を監督する、管理及び編成（ＭＡＮＯ：ｍａｎａｇｅｍｅｎｔ  ａｎｄ  ｏｒｃｈｅｓｔｒａｔｉｏｎ）６１００を介して管理される、ハードウェアのより大きなクラスタ（たとえば、データセンタ又は顧客構内機器（ＣＰＥ）内など）の一部でもよい。
【００９８】
ハードウェアの仮想化は、いくつかの文脈では、ネットワーク機能仮想化（ＮＦＶ：ｎｅｔｗｏｒｋ  ｆｕｎｃｔｉｏｎ  ｖｉｒｔｕａｌｉｚａｔｉｏｎ）と称される。ＮＦＶは、データセンタ及び顧客構内機器内に置かれ得る、業界標準高容量サーバハードウェア、物理スイッチ、及び物理ストレージに多数のネットワーク機器タイプを統合するために使用され得る。
【００９９】
ＮＦＶとの関連で、仮想マシン６４０は、プログラムが物理的な非仮想化マシンで実行していたかのようにプログラムを実行する物理マシンのソフトウェア実装形態でもよい。それぞれの仮想マシン６４０、及びその仮想マシンを実行するハードウェア６３０のその部分は、それがその仮想マシン専用のハードウェア及び／又は他の仮想マシン６４０とその仮想マシンによって共用されるハードウェアであれば、別個の仮想ネットワーク要素（ＶＮＥ）を形成する。
【０１００】
さらにＮＦＶに関連して、仮想ネットワーク機能（ＶＮＦ：Ｖｉｒｔｕａｌ  Ｎｅｔｗｏｒｋ  Ｆｕｎｃｔｉｏｎ）は、ハードウェアネットワーキングインフラストラクチャ６３０の最上部の１つ又は複数の仮想マシン６４０において実行する特定のネットワーク機能を処理する責任を有し、図６のアプリケーション６２０に対応する。
【０１０１】
一部の実施形態では、１つ又は複数の送信器６２２０及び１つ又は複数の受信器６２１０をそれぞれ含む１つ又は複数の無線ユニット６２００は、１つ又は複数のアンテナ６２２５に連結され得る。無線ユニット６２００は、１つ又は複数の適切なネットワークインターフェースを介してハードウェアノード６３０と直接通信することができ、無線アクセスノード又は基地局などの無線能力を有する仮想ノードを提供するために仮想構成要素と組み合わせて使用され得る。
【０１０２】
一部の実施形態では、一部のシグナリングは、別法としてハードウェアノード６３０と無線ユニット６２００との間の通信のために使用され得る制御システム６２３０の使用の影響を受け得る。
【０１０３】
図７は、ある種の実施形態による、中間ネットワークを介してホストコンピュータに接続された例示的電気通信ネットワークを示す。図７を参照すると、一実施形態によれば、通信システムは、無線アクセスネットワークなどのアクセスネットワーク７１１及びコアネットワーク７１４を備える、３ＧＰＰタイプのセルラネットワークなどの電気通信ネットワーク７１０を含む。アクセスネットワーク７１１は、それぞれが対応するカバレッジエリア７１３ａ、７１３ｂ、７１３ｃを規定する、ＮＢ、ｅＮＢ、ｇＮＢ又は他のタイプのワイヤレスアクセスポイントなどの複数の基地局７１２ａ、７１２ｂ、７１２ｃを備える。ある種の実施形態では、複数の基地局７１２ａ、７１２ｂ、７１２ｃは、図１６及び１８に関して説明されるようなネットワークノードでもよい。ある種の実施形態では、複数の基地局７１２ａ、７１２ｂ、７１２ｃは、図１３〜１５及び１７に関して説明されるようなユーザ機器の機能性を実行し得る。各基地局７１２ａ、７１２ｂ、７１２ｃは、ワイヤード又はワイヤレス接続７１５を介してコアネットワーク７１４に接続可能である。カバレッジエリア７１３ｃ内に置かれた第１のＵＥ７９１は、対応する基地局７１２ｃにワイヤレスで接続される又は対応する基地局７１２ｃによってページングされるように設定され得る。カバレッジエリア７１３ａ内の第２のＵＥ７９２は、対応する基地局７１２ａにワイヤレスに接続可能である。複数のＵＥ７９１、７９２が本例では図示されているが、開示される実施形態は、唯一のＵＥがカバレッジエリア内にある又は唯一のＵＥが対応する基地局７１２に接続している状況に同等に適用可能である。ある種の実施形態では、複数のＵＥ７９１、７９２は、図１３〜１５及び１７に関して説明されるようなユーザ機器でもよい。
【０１０４】
電気通信ネットワーク７１０自体は、ホストコンピュータ７３０に接続され、ホストコンピュータ７３０は、スタンドアロンサーバ、クラウド実装されたサーバ、分散型サーバのハードウェア及び／又はソフトウェアにおいて或いはサーバファーム内の処理リソースとして実施され得る。ホストコンピュータ７３０は、サービスプロバイダの所有権又は制御の下にあってもよく、或いはサービスプロバイダによって又はサービスプロバイダのために動作させられ得る。電気通信ネットワーク７１０とホストコンピュータ７３０との接続７２１及び７２２は、コアネットワーク７１４からホストコンピュータ７３０に直接延びてもよく、或いはオプションの中間ネットワーク７２０を介してもよい。中間ネットワーク７２０は、パブリックネットワーク、プライベートネットワーク又はホスト型ネットワークのうちの１つ、又はそれらのうちの２つ以上の組合せでもよく、中間ネットワーク７２０は、もしあるなら、バックボーンネットワーク又はインターネットでもよく、具体的には、中間ネットワーク７２０は、２つ以上のサブネットワーク（図示せず）を備え得る。
【０１０５】
全体としての図７の通信システムは、接続されたＵＥ７９１、７９２及びホストコンピュータ７３０の間の接続性を有効にする。接続性は、オーバーザトップ（ＯＴＴ：ｏｖｅｒ−ｔｈｅ−ｔｏｐ）接続７５０として説明され得る。ホストコンピュータ７３０及び接続されたＵＥ７９１、７９２は、媒介としてアクセスネットワーク７１１、コアネットワーク７１４、任意の中間ネットワーク７２０及び可能なさらなるインフラストラクチャ（図示せず）を使用し、ＯＴＴ接続７５０を介してデータ及び／又はシグナリングを通信するように設定される。ＯＴＴ接続７５０は、ＯＴＴ接続７５０が通過する参加通信デバイスはアップリンク及びダウンリンク通信のルーティングを認識しないという意味で、透過的になり得る。たとえば、基地局７１２は、接続されたＵＥ７９１に転送される（たとえば、ハンドオーバされる）ことになるホストコンピュータ７３０に由来するデータとの着信ダウンリンク通信の過去のルーティングに関して知らされないことがある、又は知らされる必要はない。同様に、基地局７１２は、ＵＥ７９１からホストコンピュータ７３０に向けて始められる外向きのアップリンク通信の未来のルーティングを認識する必要はない。
【０１０６】
図８は、いくつかの実施形態による、部分的にワイヤレスな接続を介してユーザ機器と基地局を介して通信する例示的ホストコンピュータを示す。前段落で論じられたＵＥ、基地局及びホストコンピュータの一実施形態による例示的実装形態について、図８を参照して、ここで説明する。通信システム８００では、ホストコンピュータ８１０は、通信システム８００の異なる通信デバイスのインターフェースとのワイヤード又はワイヤレス接続をセットアップ及び維持するように設定された通信インターフェース８１６を含むハードウェア８１５を備える。ホストコンピュータ８１０はさらに、ストレージ及び／又は処理能力を有し得る処理回路８１８を備える。具体的には、処理回路８１８は、１つ又は複数のプログラマブルプロセッサ、特定用途向け集積回路、フィールドプログラマブルゲートアレイ、或いは命令を実行するようになされたこれらの組合せ（図示せず）を備え得る。ホストコンピュータ８１０はさらに、ホストコンピュータ８１０に記憶された若しくはこれよってアクセス可能な及び処理回路８１８によって実行可能な、ソフトウェア８１１を備える。ソフトウェア８１１は、ホストアプリケーション８１２を含む。ホストアプリケーション８１２は、ＵＥ８３０及びホストコンピュータ８１０で終了するＯＴＴ接続８５０を介して接続するＵＥ８３０など、リモートユーザにサービスを提供するように動作可能になり得る。サービスのリモートユーザへの提供において、ホストアプリケーション８１２は、ＯＴＴ接続８５０を使用して送信されるユーザデータを提供し得る。
【０１０７】
通信システム８００はさらに、電気通信システムにおいて提供される並びにホストコンピュータ８１０と及びＵＥ８３０とそれが通信することを可能にするハードウェア８２５を備える、基地局８２０を含む。ある種の実施形態では、基地局８２０は、図１６及び１８に関して説明されるようなネットワークノードでもよい。ハードウェア８２５は、通信システム８００の異なる通信デバイスのインターフェースとのワイヤード又はワイヤレス接続をセットアップ及び維持するための通信インターフェース８２６、並びに基地局８２０によってサービスされるカバレッジエリア（図８には図示せず）内に置かれたＵＥ８３０とのワイヤレス接続８７０を少なくともセットアップ及び維持するための無線インターフェース８２７を含み得る。通信インターフェース８２６は、ホストコンピュータ８１０への接続８６０を円滑にするように設定され得る。接続８６０は直接でもよく、或いは、接続８６０は、電気通信システムのコアネットワーク（図８に示さず）を通過及び／又は電気通信システム外部の１つ又は複数の中間ネットワークを通過してもよい。示された実施形態では、基地局８２０のハードウェア８２５はさらに、１つ又は複数のプログラマブルプロセッサ、特定用途向け集積回路、フィールドプログラマブルゲートアレイ、又は命令を実行するようになされたこれらの組合せ（図示せず）を備え得る、処理回路８２８を含む。基地局８２０はさらに、内部に記憶された又は外部接続を介してアクセス可能なソフトウェア８２１を有する。
【０１０８】
通信システム８００はさらに、すでに参照されたＵＥ８３０を含む。ある種の実施形態では、ＵＥ８３０は、図１３〜１５及び１７に関して説明されるようなユーザ機器でもよい。それのハードウェア８３５は、ＵＥ８３０が現在位置するカバレッジエリアにサービスする基地局とのワイヤレス接続８７０をセットアップ及び維持するように設定された無線インターフェース８３７を含み得る。ＵＥ８３０のハードウェア８３５はさらに、１つ又は複数のプログラマブルプロセッサ、特定用途向け集積回路、フィールドプログラマブルゲートアレイ、又は命令を実行するようになされたこれらの組合せ（図示せず）を備え得る、処理回路８３８を含む。ＵＥ８３０はさらに、ＵＥ８３０に記憶された若しくはこれによってアクセス可能な及び処理回路８３８によって実行可能なソフトウェア８３１を備える。ソフトウェア８３１は、クライアントアプリケーション８３２を含む。クライアントアプリケーション８３２は、ホストコンピュータ８１０のサポートを有して、ＵＥ８３０を介して人間又は非人間ユーザにサービスを提供するように動作可能になり得る。ホストコンピュータ８１０では、実行中のホストアプリケーション８１２は、ＵＥ８３０及びホストコンピュータ８１０で終了するＯＴＴ接続８５０を介して実行中のクライアントアプリケーション８３２と通信し得る。ユーザへのサービス提供において、クライアントアプリケーション８３２は、ホストアプリケーション８１２から要求データを受信し、要求データに応答してユーザデータを提供することができる。ＯＴＴ接続８５０は、要求データ及びユーザデータの両方を転送することができる。クライアントアプリケーション８３２は、ユーザと相互作用して、それが提供するユーザデータを生成することができる。
【０１０９】
図８に示されたホストコンピュータ８１０と、基地局８２０と、ＵＥ８３０とは、それぞれ、図７のホストコンピュータ７３０と、基地局７１２ａ、７１２ｂ、７１２ｃのうちの１つと、ＵＥ７９１、７９２のうちの１つと類似する又は同一であってもよいことに留意されたい。すなわち、これらのエンティティの内部の動きは、図８に示されるようでもよく、独立して、周囲のネットワークトポロジは、図７のそれでもよい。
【０１１０】
図８において、ＯＴＴ接続８５０は、媒介デバイスの明示的参照及びこれらのデバイスを介するメッセージの正確なルーティングなしに、基地局８２０を介するホストコンピュータ８１０とＵＥ８３０との通信を説明するために抽象的に描かれてある。ネットワークインフラストラクチャは、ルーティングを判定することができ、それは、ＵＥ８３０から若しくはサービスプロバイダオペレーティングホストコンピュータ８１０から又はその両方から隠すように設定され得る。ＯＴＴ接続８５０がアクティブである間、ネットワークインフラストラクチャは、それがルーティングを動的に変更する判定（たとえば、ネットワークの負荷バランシング検討又は再設定に基づく）をさらに行うことができる。
【０１１１】
ＵＥ８３０と基地局８２０との間のワイヤレス接続８７０は、本開示を通じて説明される実施形態の教示に従う。様々な実施形態のうちの１つ又は複数は、ワイヤレス接続８７０が最後のセグメントを形成する、ＯＴＴ接続８５０を使用してＵＥ８３０に提供されるＯＴＴサービスのパフォーマンスを改善する。より厳密には、これらの実施形態の教示は、送信バッファにおける冗長データの処理を改善し、それにより、無線リソース利用の効率の改善（たとえば、冗長データを送信しないこと）並びに新データの受信の遅延の低減（たとえば、バッファ内の冗長データを取り除くことによって、新データが、より早く送信され得る）などの利益をもたらす。
【０１１２】
測定手続きは、１つ又は複数の実施形態が改善するモニタリングデータレート、レイテンシ及び他の要因を目的として、提供され得る。測定結果の変動に応答して、ホストコンピュータ８１０とＵＥ８３０との間のＯＴＴ接続８５０を再設定するためのオプションのネットワーク機能性がさらに存在し得る。測定手続き及び／又はＯＴＴ接続８５０を再設定するためのネットワーク機能性は、ホストコンピュータ８１０のソフトウェア８１１及びハードウェア８１５において、又はＵＥ８３０のソフトウェア８３１及びハードウェア８３５において、又はその両方で実装され得る。実施形態において、センサ（図示せず）は、ＯＴＴ接続８５０が通過する通信デバイスにおいて又はそのような通信デバイスに関連して配備され得、センサは、上記で例示されたモニタされる数量の値を供給すること、或いはそこからソフトウェア８１１、８３１がモニタされる数量を計算又は推定し得る他の物理数量の値を供給することによって、測定手続きに参加し得る。ＯＴＴ接続８５０の再設定は、メッセージフォーマット、再送信設定、好ましいルーティングなどを含み得、再設定は基地局８２０に影響を及ぼす必要はなく、そして、それは基地局８２０に知られてなくても又は感知できなくてもよい。そのような手続き及び機能性は、当分野では知られており、実施されることがある。ある種の実施形態では、測定は、スループット、伝搬時間、レイテンシなどのホストコンピュータ８１０の測定を円滑にする占有ＵＥシグナリングを含み得る。ソフトウェア８１１及び８３１が、ＯＴＴ接続８５０を使用し、それが伝搬時間、エラーなどをモニタする間に、メッセージ、具体的には空の又は「ダミー」メッセージ、を送信させるので、測定は実装され得る。
【０１１３】
図９は、一部の実施形態によるある種の実施形態による、ホストコンピュータ、基地局及びユーザ機器を含む通信システムにおいて実装される例示的方法を示す。より具体的には、図９は、１つの実施形態による、通信システムにおいて実装される方法を示す流れ図である。通信システムは、図７及び８を参照して説明されるものでもよいホストコンピュータ、基地局及びＵＥを含む。本開示を簡単にするために、図９のみの図面の参照が、このセクションに含まれることになる。ステップ９１０において、ホストコンピュータはユーザデータを提供する。ステップ９１０のサブステップ９１１（オプションでもよい）では、ホストコンピュータは、ホストアプリケーションを実行することによって、ユーザデータを提供する。ステップ９２０では、ホストコンピュータは、ユーザデータをＵＥに運ぶ送信を開始する。ステップ９３０（オプションでもよい）では、基地局が、本開示を通して説明される実施形態の教示に従って、ホストコンピュータが開始した送信において運ばれたユーザデータをＵＥに送信する。ステップ９４０（やはりオプションでもよい）で、ＵＥは、ホストコンピュータによって実行されるホストアプリケーションに関連するクライアントアプリケーションを実行する。
【０１１４】
図１０は、一部の実施形態による、ホストコンピュータ、基地局及びユーザ機器を含む通信システムにおいて実装される例示的方法を示す。より具体的には、図１０は、１つの実施形態による、通信システムにおいて実装される方法を示す流れ図である。通信システムは、図７及び８を参照して説明されるものでもよいホストコンピュータ、基地局及びＵＥを含む。本開示を簡単にするために、図１０の図面の参照のみが、このセクションに含まれることになる。本方法のステップ１０１０において、ホストコンピュータはユーザデータを提供する。オプションのサブステップ（図示せず）において、ホストコンピュータは、ホストアプリケーションを実行することによって、ユーザデータを提供する。ステップ１０２０で、ホストコンピュータは、ユーザデータをＵＥに運ぶ送信を開始する。送信は、本開示を通して説明される実施形態の教示によれば、基地局を通り得る。ステップ１０３０（オプションでもよい）で、ＵＥは、その送信で運ばれたユーザデータを受信する。
【０１１５】
図１１は、一部の実施形態による、ホストコンピュータ、基地局及びユーザ機器を含む通信システムにおいて実装される別のさらなる例示的方法を示す。より具体的には、図１１は、１つの実施形態による、通信システムにおいて実装される方法を示す流れ図である。通信システムは、図７及び８を参照して説明されるものでもよいホストコンピュータ、基地局及びＵＥを含む。本開示を簡単にするために、図１１の図面の参照のみが、このセクションに含まれることになる。ステップ１１１０（オプションでもよい）で、ＵＥは、ホストコンピュータによって提供された入力データを受信する。追加で又は別法として、ステップ１１２０で、ＵＥはユーザデータを提供する。ステップ１１２０のサブステップ１１２１（オプションでもよい）で、ＵＥは、クライアントアプリケーションを実行することによって、ユーザデータを提供する。ステップ１１１０のサブステップ１１１１（オプションでもよい）で、ＵＥは、ホストコンピュータによって提供される受信された入力データに反応してユーザデータを提供するクライアントアプリケーションを実行する。ユーザデータの提供において、実行されるクライアントアプリケーションは、ユーザから受信されたユーザ入力をさらに考慮し得る。ユーザデータが提供された具体的方式にかかわらず、ＵＥは、サブステップ１１３０（オプションでもよい）で、ユーザデータのホストコンピュータへの送信を開始する。本方法のステップ１１４０において、ホストコンピュータは、本開示を通して説明される実施形態の教示によれば、ＵＥから送信されたユーザデータを受信する。
【０１１６】
図１２は、一部の実施形態による、ホストコンピュータ、基地局及びユーザ機器を含む通信システムにおいて実装された別の例示的方法を示す。より具体的には、図１２は、１つの実施形態による、通信システムにおいて実装された方法を示す流れ図である。通信システムは、図７及び８を参照して説明されるものでもよいホストコンピュータ、基地局及びＵＥを含む。本開示を簡単にするために、図１２の図面の参照のみが、このセクションに含まれることになる。ステップ１２１０（オプションでもよい）において、本開示を通して説明される実施形態の教示に従って、基地局は、ユーザデータをＵＥから受信する。ステップ１２２０（オプションでもよい）で、基地局は、受信されたユーザデータのホストコンピュータへの送信を開始する。ステップ１２３０（オプションでもよい）で、ホストコンピュータは、基地局によって開始された送信で運ばれたユーザデータを受信する。
【０１１７】
本明細書で開示される任意の適切なステップ、方法、特徴、機能、又は利益は、１つ又は複数の仮想装置の１つ又は複数の機能ユニット又はモジュールを介して実行され得る。各仮想装置は、いくつかのこれらの機能ユニットを備え得る。これらの機能ユニットは、１つ又は複数のマイクロプロセッサ又はマイクロコントローラを含み得る、処理回路、並びに、デジタル信号プロセッサ（ＤＳＰ）、専用デジタルロジックなどを含み得る、他のデジタルハードウェアを介して実装され得る。処理回路は、読取り専用メモリ（ＲＯＭ）、ランダムアクセスメモリ（ＲＡＭ）、キャッシュメモリ、フラッシュメモリデバイス、光記憶デバイスなど、１つの又はいくつかのタイプのメモリを含み得る、メモリに記憶されたプログラムコードを実行するように設定され得る。メモリに記憶されたプログラムコードは、１つ又は複数の電気通信及び／又はデータ通信プロトコルを実行するためのプログラム命令並びに本明細書に記載の技法のうちの１つ又は複数を実行するための命令を含む。いくつかの実装形態において、処理回路は、本開示の１つ又は複数の実施形態による対応する機能をそれぞれの機能ユニットに実行させるために使用され得る。
【０１１８】
図１３は、ある種の実施形態による、セル内の同期信号（ＳＳ）ブロック、ＳＳバースト及びＳＳバーストセットの例示的設定を示す。図１３は、他の実施形態において想定され得るユーザ機器によって実行されるＳＳブロック及びＳＳバースト設定の非制限的例を説明する。一部の実施形態では、ユーザ機器は、図１５及び１７に関して説明されるようなユーザ機器でもよい。ＳＳブロックに含まれる信号は、同一周波数内、異周波数間及びＲＡＴ間を含む、ＮＲキャリアの測定（すなわち、別のＲＡＴからのＮＲ測定）のために使用され得る。
【０１１９】
ＳＳブロックに関して、ＮＲ−１次同期信号（ＰＳＳ：ｐｒｉｍａｒｙ  ｓｙｎｃｈｒｏｎｉｚａｔｉｏｎ  ｓｉｇｎａｌ）、ＮＲ−２次同期信号（ＳＳＳ：ｓｅｃｏｎｄａｒｙ  ｓｙｎｃｈｒｏｎｉｚａｔｉｏｎ  ｓｉｇｎａｌ）及び／又はＮＲ物理ブロードキャストチャンネル（ＰＢＣＨ）は、ＳＳブロック内で送信することができる。所与の周波数帯について、ＳＳブロックは、デフォルトサブキャリア間隔に基づくＮ  ＯＦＤＭシンボルに対応し、Ｎは定数である。ＵＥは、少なくともＯＦＤＭシンボルインデックス、無線フレーム内のスロットインデックス、及びＳＳブロックからの無線フレーム番号を識別することができるものとする。単一セットの可能なＳＳブロック時間位置（たとえば、無線フレームに関する又はＳＳバーストセットに関する）が、周波数帯ごとに指定される。少なくともマルチビームの場合、ＳＳブロックの少なくとも時間インデックスが、ＵＥに示される。実際の送信されるＳＳブロックの場所が、ＣＯＮＮＥＣＴＥＤモードＵＥが未使用のＳＳブロックにおいてＤＬデータ／制御を受信するのを助けるための及び潜在的にＩＤＬＥモードＵＥが未使用のＳＳブロックにおいてＤＬデータ／制御を受信するのを助けるための、ＣＯＮＮＥＣＴＥＤ／ＩＤＬＥモード測定を助けるために知らされ得る。
【０１２０】
ＳＳバーストに関して、１つの又は複数のＳＳブロックは、ＳＳバーストを構成する。ＳＳバーストセット内のＳＳブロックの最大数Ｌは、キャリア周波数に依存してもしなくてもよい。異なる周波数範囲のＳＳバーストセット内のＳＳブロックの最大数Ｌは、様々である。たとえば、周波数範囲が３ＧＨｚまでであるとき、Ｌは４である。周波数範囲が３ＧＨｚから６ＧＨｚであるとき、Ｌは８である。周波数範囲が６ＧＨｚから５２．６ＧＨｚであるとき、Ｌは６４である。
【０１２１】
ＳＳバーストセットに関して、１つの又は複数のＳＳバーストは、ＳＳバーストセット（又はシリーズ）をさらに構成し、ＳＳバーストセット内のＳＳバーストの数は有限である。物理レイヤ仕様の観点から、ＳＳバーストセットの少なくとも１つの周期性がサポートされる。ＵＥの観点から、ＳＳバーストセット送信は周期的である。少なくとも最初のセル選択について、ＵＥは、所与のキャリア周波数のＳＳバーストセット送信のデフォルト周期性（たとえば、５ｍｓ、１０ｍｓ、２０ｍｓ、４０ｍｓ、８０ｍｓ、又は１６０ｍｓのうちの１つ）を想定し得る。ＵＥは、所与のＳＳブロックはＳＳバーストセット周期性で繰り返されると想定し得る。デフォルトで、ＵＥは、ｇＮＢが同数の物理ビームを送信することも、ＳＳバーストセット内の異なるＳＳブロックを横切る同じ物理ビームを送信することも想定しなくてもよい。特別な場合に、ＳＳバーストセットは、１つのＳＳバーストを備え得る。
【０１２２】
各キャリアについて、送信されるＳＳブロックの実際の数が、異なるセルでは異なる場合でも、ＳＳブロックは、完全に又は少なくとも部分的に、時間合わせされ得る又は重複し得る、或いは、ＳＳブロックの最初が、時間合わせされ得る。
【０１２３】
同一周波数内又は異周波数間動作を判定するためにＵＥ及びネットワークノードにおいて実行される方法に関して、ＵＥは、同一周波数内動作の参照として使用される第１のサービングセル（セル１）に属する１つの又は１セットの参照又はアンカ無線測定リソース（ＲＭＲ）を判定する。ＵＥはまた、２つ以上のサービングセル、たとえば、セル１、セル２、セル３、と動作し得る／設定され得る。各サービングセルについて、ＵＥは、独立して、対応するＲＭＲを取得し、対応する同一周波数内セルを判定することになる。ＵＥは、任意のＲＲＣ状態、たとえば、ＩＤＬＥ、ＩＮＡＣＴＩＶＥ、又はＣＯＮＮＥＣＴＥＤ状態、にあり得る。
【０１２４】
同一周波数内ＲＭＲ又は同一周波数内ＲＭＲ設定は、帯域幅、ある種のセットのＲＢを含む参照ブロック（ＲＢ）の数、ＲＭＲの中央、周波数におけるＲＭＲの開始／終了、周波数ドメイン内の参照からのオフセット（たとえば、ＤＣからの又は特定のＲＢからのデルタＲＢ）などによって特性を示され得る。
【０１２５】
同一周波数内ＲＭＲは、たとえば、１つ又は複数のサブフレーム、１つ又は複数の無線フレームなどを含む、特定の制限された期間について判定され得る。さらなる実施形態において、同一周波数内ＲＭＲは、ある特定の時間Ｔ１ｃｈａｎｇｅより頻繁に変更されなくてもよい。また、その判定は、少なくともＴ２ｄｅｔｅｒｍｉｎｅと同じ位頻繁に行われ得る。
【０１２６】
同一周波数内ＲＭＲはまた、特定の周期的又は非周期的タイムドメインリソース又は時間ドメインパターン、たとえば、ＵＥアクティビティパターン、ＤＲＸパターン、測定タイムドメインパターン、ギャップパターンなど、と関連付けられ得る。たとえば、同一周波数内ＲＭＲは、パターンによって示されるリソース（たとえば、１つ又は複数のサブフレーム又は無線フレーム又はスロットなど）において適用され、他のタイムドメインリソースにおいて適用されなくてもよい。
【０１２７】
同一周波数内ＲＭＲ、異周波数間ＲＭＲ、又は非同一周波数内ＲＭＲのそれぞれはまた、１つ又は複数のいわゆる帯域幅部分を備え得る。たとえば、異なる帯域幅部分はまた、キャリアアグリゲーションに類似して集約され得る。
【０１２８】
さらなる実施形態で、判定は、周期的に又は非周期的に行われ得る。たとえば、判定は、トリガするイベント、条件、又はインジケーション／メッセージが別のノードから受信されたときに行われ得る。
【０１２９】
同一周波数内ＲＭＲは、すべてのＵＥのセルにおいて共通でもよく、或いはＵＥのうちの１つ又は１グループに特有でもよい。同一周波数内ＲＭＲは、静的に設定され得る、或いは動的に又は準静的に（より少ない頻度で）変更され得る。
【０１３０】
判定の後、本方法はさらに、同一周波数内動作と異周波数間動作とを区別する。同一周波数内動作の例は、ＲＬＭ、隣接セル内の同一周波数内動作、同一周波数内測定、同一周波数内システム情報読取り、同一周波数内ＣＧＩ読取り、同一周波数内セル検出又はセル識別、ビーム識別、チャンネル状態情報−参照信号（ＣＳＩ−ＲＳ：Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）ベースの測定、ＣＳＩ−ＲＳグループベースの測定などを含むが、これらに限定されない。
【０１３１】
さらなる実施形態において、同一周波数内ＲＭＲは、明示的に又は黙示的に判定され得る。黙示的判定は、たとえば、１つ又は複数のＵＥの同一周波数内動作のために使用されるように設定された信号又は信号のグループ／ブロックの設定パラメータからでもよい。パラメータは、周波数リソース、帯域幅、リソースブロック、キャリアの一部などを含むが、これらに限定されない。たとえば、ＲＬＭのために使用されることになる信号、同一周波数内セル検出又はセル識別のために使用されることになる１つ又は複数のＳＳブロック、ＣＳＩ−ＲＳ又はＣＳＩ−ＲＳグループ、システム帯域幅内の異なる周波数リソースに位置し得る複数のＳＳブロック、ＳＳバースト、又はＳＳバーストセットから選択された１つのＳＳブロック又はＳＳバースト又はＳＳバーストセット（別名、参照ＳＳブロック、参照ＳＳバースト、又は参照ＳＳバーストセット）。
【０１３２】
さらなる実施形態において、同一周波数内ＲＭＲは、具体的には、同じセルに関連する１つの、いくつかの、又はすべてのビームと関連し得る。たとえば、セル内のビームのサブセットは同一周波数内ルールに基づいて動作させられ、その一方、同セル内の少なくとも１つの他のビームは異周波数間ルールに基づいて動作させられる。
【０１３３】
いくつかの実施形態では、同一周波数内動作が、測定ギャップなしに実行される。したがって、いくつかの実施形態では、同一周波数内動作はまた、「測定ギャップを必要としない動作」、「測定ギャップなしで実行される動作」、「非ギャップ支援型動作」、「非ギャップ支援型測定」などとも同義で称され得る。たとえば、ＵＥが、ギャップなしでセルの信号を測定することができる場合、同一周波数内動作と考えられ得る。
【０１３４】
いくつかの実施形態では、同一周波数内動作が測定ギャップにおいて実行される。したがって、いくつかの実施形態では、同一周波数内動作はまた、「測定ギャップを必要とする動作」、「測定ギャップにおいて実行される動作」、「ギャップ支援型動作」、「ギャップ支援型測定」などとも同義で称され得る。
【０１３５】
いくつかの実施形態では、異周波数間動作という用語はまた、「測定ギャップを必要とする動作」、「測定ギャップにおいて実行される動作」、「ギャップ支援型動作」、「ギャップ支援型測定」などとも同義で称され得る。
【０１３６】
同一周波数内ＲＭＲの判定は、ＤＣキャリアを含むリソースと異なっていてもいなくてもよい、同一周波数内の事前に規定された位置と、１つ又は複数の同一周波数内ルール及び異周波数間ルールと、別のノードからのシグナリング／インジケーションとのうちの１つ又は任意の組合せに基づき得る。
【０１３７】
同一周波数内ルール及び異周波数間ルールの例は、同一周波数内ＲＭＲが、一般にＵＥのためのページングリソース又はＵＥのためのページングリソースの特定のサブセットに関連するリソースであることであり、その関連性が信号伝達又は事前に規定され得、ページングはＩＤＬＥモードページング、ＩＮＡＣＴＩＶＥモードページング、又はＣＯＮＮＥＣＴＥＤモードページングでもよいことと、同一周波数内ＲＭＲが、周波数ドメイン内のページングリソースに最も近いページングリソース、ＳＳブロック、ＳＳバースト、又はＳＳバーストセットに関連するＳＳブロック、ＳＳバースト、又はＳＳバーストセットであることであり、ページングはＩＤＬＥモードページング、ＩＮＡＣＴＩＶＥモードページング、又はＣＯＮＮＥＣＴＥＤモードページングでもよいことと、同一周波数内ＲＭＲが、ＲＬＭのために設定されたリソースであることと、同一周波数内ＲＭＲが、設定された同一周波数内測定帯域幅内のリソースであることと、同一周波数内ＲＭＲが、制御チャンネルを含むリソース、たとえばＵＥが制御チャンネルを受信するリソース、であることであり、制御チャンネルは物理ダウンリンク制御チャンネル（ＰＤＣＣＨ：ｐｈｙｓｉｃａｌ  ｄｏｗｎｌｉｎｋ  ｃｏｎｔｒｏｌ  ｃｈａｎｎｅｌ）、Ｅ−ＰＤＣＣＨなどであることと、同一周波数内ＲＭＲが、周波数ドメイン内の探索空間を含むリソースであることであり、ＵＥはある種のメッセージ又はチャンネル、たとえばダウンリンク制御情報、を受信することが予期されることと、同一周波数内ＲＭＲが、このＵＥへのすべてのサービングセル又はサービングビーム専用送信を含むリソースであることと、同一周波数内ＲＭＲが、特定の時間リソース内の最大ＵＥ帯域幅のリソースであることであり、特定の時間ソースは、特定のサブフレーム又は無線フレームでもよく、最大ＵＥ帯域幅は、最大ＵＥ  ＲＦ帯域幅又はＵＥ帯域幅能力でもよく、サービングセル／ビーム送信が同じ時間リソース内のより小さな帯域幅を介するときでも、このＵＥへのすべてのサービングセル又はサービングビーム専用送信を含むことと、同一周波数内ＲＭＲが、少なくとも１つのＣＳＩ−ＲＳリソースグループのリソースを含むことであり、ＣＳＩ−ＲＳリソースグループは、ＣＳＩ−ＲＳ信号を含む無線リソースのグループでもよく、ＣＳＩ−ＲＳリソースグループはまた、ＳＣＩ−ＲＳシーケンス内で使用されるグループ特有のＩＤによって特性を示され得ることと、同一周波数内ＲＭＲがチャンネルラスタと一致することと、同一周波数内ＲＭＲが同期ラスタと一致することであり、同一周波数内ＲＭＲは少なくとも１つの同期ラスタポイントを含むこととを含むが、これらに限定されない。
【０１３８】
シグナリングに先立って同一周波数内ＲＭＲを判定する必要がある別のＵＥ又はネットワークノードなど、別のノードからのシグナリング／インジケーションの例は、別のノードからのルール又はシグナリングにやはり基づくノードにおける判定であり、別のノードは動作及びメンテナンスノード（ＯＭ：ｍａｉｎｔｅｎａｎｃｅ  ｎｏｄｅ）又は自己編成ネットワークノード（ＳＯＮ：ｓｅｌｆ−ｏｒｇａｎｉｚｉｎｇ  ｎｅｔｗｏｒｋ  ｎｏｄｅ）でもよい、判定と、ＵＥ帯域幅能力、ノードによって同様に考慮され得る同一周波数内ＲＭＲに関係する特定のＵＥ能力と、ＳＳ設定情報、ＣＳＩ−ＲＳグループ設定情報、複数のＣＳＩ−ＲＳグループのうちの１つのグループの識別子若しくはインジケータ、複数のＳＳ設定のうちの１つの設定の識別子若しくはインジケータ、ＲＭＲに関連付けられたページングリソースの識別子、同一周波数内周波数ＲＭＲに一意に関連付けられた又は同一周波数内ＲＭＲを判定若しくは導出するために使用することができるインジケータ、同じ周波数リソース上のＳＳブロックのグループに関連するインジケータ若しくはＩＤ、ここで同一周波数内の複数のＳＳブロックは異なるＩＤに関連付けられ得る、のうちの１つ又は複数を含むシグナリング又はメッセージとを含むが、これらに限定されない。
【０１３９】
ＵＥはまた、それがシグナリングを介して異なる同一周波数内ＲＭＲを取得しない限り、同一周波数内の事前に規定された位置を想定し得る。同一周波数内の事前に規定された位置は、ＤＣキャリア又はある種のＲＢを含むが、キャリア帯域幅より小さくてもよいＵＥ  ＲＦ帯域幅能力を超えない、周波数リソースでもよい。
【０１４０】
本明細書でシグナリングは、上位レイヤシグナリング、物理レイヤシグナリング、又はこれら２つの組合せを含み得、専用シグナリング、マルチキャスト又はブロードキャストを介し得る。
【０１４１】
別の実施形態では、ネットワークノードは、同一周波数内ＲＭＲを判定し、同一周波数内ＲＭＲ設定を別のノード、たとえば、別のネットワークノード又は別のＵＥ、に提供する。
【０１４２】
別の実施形態では、同一周波数内ＲＭＲは、問題の周波数帯において、データ、制御などの他の送信のためにサポートされるヌメロロジのより大きなセットから、サブキャリア間隔などの１つ又は複数の特定のヌメロロジのみを使用することを可能にされ得る。たとえば、その周波数帯の参照ヌメロロジ又はＳＳブロックによって使用されるヌメロロジは、この周波数帯において使用され得る。
【０１４３】
同一周波数内ＲＭＲのＵＥヌメロロジが、知られている、又はたとえば前述のルールによって判定することができる場合、ネットワークは、同一周波数内ＲＭＲにおけるヌメロロジを明示的に示す必要はない。
【０１４４】
別の実施形態では、同一周波数内ＲＭＲのヌメロロジが、ネットワークによってＵＥに信号伝達／示される。
【０１４５】
同一周波数内ＲＭＲ及びＵＥ能力に関して、異なるＵＥは、異なるサイズの動作同一周波数内ＲＭＲの能力を有し得る。１つの例では、前述のＵＥ能力は、ＵＥ  ＲＦ帯域幅能力、ＵＥ測定帯域幅能力、特定のＲＭＲリソースでの同一周波数内動作をサポートするためのＵＥ能力などを含み得る。この能力は、同一周波数内ＲＭＲを判定するために使用され得る。
【０１４６】
同一周波数内ＲＭＲが、別のノードから受信された／別のノードによって設定された場合、ＵＥはまた、受信された／設定された同一周波数内ＲＭＲをそれの能力に合わせる（たとえば、同一周波数内ＲＭＲの帯域幅を減らす）ことができ、これは、他のノードがＵＥ能力を認識していないことがあるときに特に有用である。
【０１４７】
そのようなＵＥ能力は、たとえば、トリガするイベント、条件に応じて、又はネットワークからの要求に応じて、ネットワークノードに信号伝達され得る。そのようなＵＥ能力を受信したとき、ネットワークノードは、この能力を使用して同一周波数内ＲＭＲを設定することができる。
【０１４８】
判定された同一周波数内参照周波数の使用方法に関して、さらに別の実施形態では、同一周波数内動作のための判定された周波数リソースに基づいて、ＵＥ及び／又はネットワークノードは、以下の動作（１）から（７）のうちの１つ又は任意の組合せを実行する。
【０１４９】
（１）以下を含む、隣接セル（セル２）が同一周波数内であるか異周波数間であるかを判定すること：セル２における測定リソース（たとえばＲＭＲ）の中央周波数が、セル１におけるＲＭＲの中央周波数と同じである場合、そのとき、セル２は、サービングセル、セル１、に関して同一周波数内セルとしてＵＥによって見なされる。そうでない場合には、セル２は、ＵＥによって異周波数間セルとして見なされ、そして、セル２における測定リソース（たとえば、ＲＭＲ）の中央周波数及びセル１における測定リソース（たとえば、ＲＭＲ）の中央周波数が、ある特定のマージン（たとえば、デルタＦ）内である場合、そのとき、セル２は、ＵＥによって、同一周波数内セルと見なされる。そうでない場合、セル２は、ＵＥによって、異周波数間セルと見なされる。
【０１５０】
（２）同一周波数内動作と異周波数間動作とを区別すること。たとえば、同一周波数内動作と異周波数間動作とを異なって実行すること、同一周波数内動作及び異周波数間動作について少なくとも１つの異なるステップを実行すること、無線測定などの同タイプの動作について異なる同一周波数内及び異周波数間要件を満たしながら動作すること。動作は、動作リソースの少なくとも一部分、或いは、１ＲＢ又はＹ個のＲＢ、その動作のＲＢの５％又はＢＷのＺ％、でもよい、閾値以上であるときに同一周波数内ＲＭＲに含まれないすべての動作リソースを含む。
【０１５１】
（３）それの帯域幅を設定すること。たとえば、測定ＢＷ又はＲＦ  ＢＷは、同一周波数内ＲＭＲを含むように設定される。
【０１５２】
（４）それの送信を設定すること。たとえば、ＴＤＤのような動作において、ＵＥ送信帯域幅は、同一周波数内ＲＭＲを含む。
【０１５３】
（５）ＵＥ測定を設定すること又はＵＥ測定設定を制御すること。たとえば、同一周波数内測定設定は、同一周波数内ＲＭＲ内にあるように設定される。
【０１５４】
（６）送信及び／又は受信のスケジューリングを適応させること。たとえば、スケジューリングされたリソースが同一周波数内ＲＭＲと合致する、これはスケジューリングされたリソースが周波数ドメイン外にない又は超えないことを意味する、ような、ネットワークノードにおけるＤＬ送信スケジューリング、ＵＥにおけるＤＬ受信スケジューリング、ＵＥにおけるＵＬ送信スケジューリング、及びネットワークノードにおけるＵＬ受信スケジューリング。
【０１５５】
（７）前のステップにおける判定された隣接セル／ビームが同一周波数内であるか異周波数間であるかに基づいて隣接セル／ビームで測定を実行するための測定手続きを適応させること。測定手続きの適応の例は、隣接セルが同一周波数内セルである場合に隣接セルで測定を実行するために第１の測定手続き（Ｐ１）を使用すること、及び／又は、隣接セルが異周波数間セルである場合に隣接セルで測定を実行するために第２の測定手続き（Ｐ２）を使用することである。
【０１５６】
Ｐ１の例は、ギャップなしに測定を実行することと、第１の測定サンプリングレート（Ｒ１）を使用して測定を実行することと、第１の測定時間（Ｔ１）にわたり測定を実行すること、ここでＴ１＝２００ｍｓ、と、第１の測定精度（Ａ１）を満たしつつ第１の測定時間（Ｔ１）にわたり測定を実行すること、ここでＲＳＲＰ測定についてＡ１＝±３ｄＢ、とを含むがこれらに限定されない。
【０１５７】
Ｐ２の例は、第２の測定サンプリングレート（Ｒ２）を使用して測定を実行すること、ここでＲ２＜Ｒ１、と、第２の測定時間（Ｔ２）にわたり測定を実行すること、ここでＴ２＞Ｔ１及びＴ２＝８００ｍｓであり同時にＴ１＝２００ｍｓ、と、第２の測定精度（Ａ２）を満たしつつ第２の測定時間（Ｔ２）にわたり測定を実行すること、ここでＡ２の大きさはＡ１の大きさより大きい、たとえば、ＲＳＲＰ測定についてＡ２＝±６ｄＢ、と、測定ギャップにおいて測定を実行すること、たとえば、異周波数間動作の又は同一周波数内ではない動作のＵＥ測定ギャップを設定することは、動作が同一周波数内ＲＭＲに含まれないリソースを含むので、その動作は同一周波数内ではないという判定に基づく、もう１つの例として、設定される測定ギャップパターンは、同一周波数内動作がギャップを必要とする場合に同一周波数内動作について、異なる周期性又はギャップの長さにより、異なり得る。
【０１５８】
ネットワークは、判定された同一周波数内ＲＭＲに基づいて支援データを作成することができ、たとえば、同一周波数内動作の隣接セルリスト及び／又は異周波数間動作の隣接セルリストを作成することができる。
【０１５９】
ネットワークノードは、ＵＥからそれを受信するときにネットワークノード自体によって又はＵＥによって判定された同一周波数内ＲＭＲ情報／設定を使用し得る。
【０１６０】
ＵＥ又はネットワークノードはさらに、１つ又は複数の動作タスクを実行するための実行される同一周波数内及び／又は異周波数間動作の結果を使用し得る。タスクの例は、セル変更動作又はモビリティのための測定の使用と、別のノードへの測定結果の報告、ここで別のモードはネットワークノード又は別のＵＥでもよい、と、ポジショニングのための測定の使用とを含むが、これらに限定されない。
【０１６１】
ネットワークノード及びＵＥはまた、同一周波数内／異周波数間ＲＭＲ情報を潜在的に設定及び使用してキャリアアグリゲーションを有するＵＥを設定することができる。異周波数間リソース又は非同一周波数内リソースは、ＵＥパフォーマンスを強化する及びそれらの現在の異周波数間リソースからキャリアアグリゲーションゲインを達成するために、サービングセルリソースを有するアグリゲーションのために考慮され得る。したがって、異周波数間ＲＭＲ又は非同一周波数内ＲＭＲは、キャリアアグリゲーションのための候補周波数リソースと見なされ得る。
【０１６２】
図１４は、ある種の実施形態による、同一周波数内及び異周波数間ＵＥ動作の複数の測定シナリオを示す。いくつかの実施形態では、ＵＥは、図１５及び１７でさらに説明されるユーザ機器でもよい。ＵＥは、特定のセル測定が送信／受信ギャップにおいて実行される必要があるかどうかを判定し、スケジューラはギャップが必要とされるかどうかを知る必要がある。
【０１６３】
図１４は、目標セルが同一周波数キャリアで動作するか異周波数キャリアで動作するか並びに測定が非ギャップ支援型かギャップ支援型かを示す複数のシナリオを示す。ある種の実施形態では、現在のセルは第１のサービングセルでもよく、目標セルは第２のサービングセルでもよい。いくつかの実施形態では、ＵＥは、同一周波数内動作の参照として使用される第１のサービングセル（セル１）に属するＲＭＲのうちの１つ又は１セットのＲＭＲを判定する。別の実施形態では、判定は、次のうちの１つ又は複数に基づき得る：ルール又はネットワークからのシグナリング／インジケーション。ＵＥはまた、２つ以上のサービングセル、たとえば、セル１、セル２、セル３など、と設定され得る。各サービングセルについて、ＵＥは、独立して、対応するＲＭＲを取得し、対応する同一周波数内セルを判定することになる。
【０１６４】
シナリオＡに関して、現在のセル及び目標セルは、同じＳＳバーストセットキャリア周波数及びセル帯域幅を有する。シナリオＡは、同一周波数内シナリオであり、測定ギャップ支援型ではない。
【０１６５】
シナリオＢに関して、現在のセル及び目標セルは、同じＳＳバーストセットキャリア周波数を有し、及び目標セルの帯域幅は現在のセルの帯域幅より小さい。シナリオＢは、同一周波数内シナリオであり、測定ギャップ支援型ではない。
【０１６６】
シナリオＣに関して、現在のセル及び目標セルは、同じＳＳバーストセットキャリア周波数を有し、目標セルの帯域幅は現在のセルの帯域幅より大きい。シナリオＣは、同一周波数内シナリオであり、測定ギャップ支援型ではない。
【０１６７】
シナリオＤに関して、現在のセル及び目標セルは、異なるＳＳバーストセットキャリア周波数を有し、目標セルの帯域幅は現在のセルの帯域幅より小さく、目標セルの帯域幅は、現在のセルの帯域幅内である。シナリオＤは、異周波数間シナリオであり、測定ギャップ支援型である。
【０１６８】
シナリオＥに関して、現在のセル及び目標セルは、異なるＳＳバーストセットキャリア周波数を有し、目標セルの帯域幅は現在のセルの帯域幅より大きく、そして、現在のセルの帯域幅は目標セルの帯域幅内である。シナリオＥは、異周波数間シナリオであり、測定ギャップ支援型である。
【０１６９】
シナリオＦに関して、現在のセル及び目標セルは、異なるＳＳバーストセットキャリア周波数、及び重複しない帯域幅を有する。シナリオＦは、異周波数間シナリオであり、測定ギャップ支援型である。
【０１７０】
シナリオＧに関して、現在のセル及び目標セルは、同じＳＳバーストセットキャリア周波数を有し、ＵＥの動作周波数は、現在のセルの中央周波数とアラインされることを保証されない。シナリオＧは、同一周波数内シナリオであり、測定ギャップ支援型である。
【０１７１】
シナリオＨに関して、現在のセル及び目標セルは、同じＳＳバーストセットキャリア周波数を有する。シナリオＨは、同一周波数内シナリオであり、測定ギャップ支援型ではない。
【０１７２】
シナリオＩに関して、現在のセル及び目標セルは、異なるＳＳバーストセットキャリア周波数を有する。シナリオＩは、異周波数間シナリオであり、測定ギャップ支援型である。
【０１７３】
シナリオＪに関して、現在のセル及び目標セルは、同じキャリア周波数を共用する各セルのＳＳバーストセットのうちの少なくとも１つを有する複数のＳＳバーストセットを有する。シナリオＪは、同一周波数内シナリオであり、測定ギャップ支援型ではない。
【０１７４】
シナリオＫに関して、現在のセル及び目標セルは、同じキャリア周波数を共用する各セルのＳＳバーストセットを有さない複数のＳＳバーストセットシナリオを有する。シナリオＫは、異周波数間シナリオであり、測定ギャップ支援型である。
【０１７５】
シナリオＬに関して、現在のセル及び目標セルは、同じキャリア周波数を共用する各セルのＳＳバーストセットのうちの少なくとも１つを有する複数のＳＳバーストセットシナリオを有するが、ＵＥはこの／これらのＳＳバーストセットのいずれにも位置しない。シナリオＬは、同一周波数内シナリオであり、測定ギャップ支援型である。
【０１７６】
図１５は、ある種の実施形態による、ユーザ機器における方法の流れ図である。方法１５００は、ユーザ機器が第１のセルの第１の測定リソースを取得するステップ１５１０で開始する。ある種の実施形態では、第１のセルは第１のサービングセル（セル１）でもよい。いくつかの実施形態では、第１の測定リソースは、参照測定リソースと見なされ得る。いくつかの実施形態では、ユーザ機器は、図４に示すワイヤレスデバイスでもよい。いくつかの実施形態では、ユーザ機器は、図５に示すユーザ機器でもよい。
【０１７７】
ステップ１５２０で、ユーザ機器は第２のセルの第２の測定リソースを取得し、第２のセルの第２の測定リソースと第１のセルの第１の測定リソースとは同じタイプである。ある種の実施形態では、第２のセルは、第２のサービングセル（セル２）でもよい。ある種の実施形態では、ユーザ機器は、１つ又は複数の隣接セルの測定リソースを取得し得る。いくつかの実施形態では、隣接セルは、第３のサービングセル（セル３）でもよい。ある種の実施形態では、測定リソースは、ＳＳブロック又はＣＳＩ−ＲＳを備え得る。ある種の実施形態では、ＵＥは、ネットワークノードから受信されたインジケーションに基づいてＲＭＲに関する情報を取得する。
【０１７８】
ステップ１５３０で、ユーザ機器は、第２のセルの第２の測定リソースと参照測定リソースを比較することによって、第２のセルが同一周波数キャリアで動作するか異周波数キャリアで動作するかを判定する。いくつかの実施形態では、ユーザ機器はさらに、対応する参照測定リソースを１つ又は複数の隣接セルの測定リソースと個々に比較することによって、１つ又は複数の隣接セルが同一周波数キャリアで動作するか異周波数キャリアで動作するかを判定し得る。いくつかの実施形態では、第２のセルの第２の測定リソースの周波数が参照測定リソースの周波数と同じであるとき、ユーザ機器は、第２のセルで同一周波数内動作を実行し得る。いくつかの実施形態では、第２のセルの第２の測定リソースの周波数が参照測定リソースの周波数と同じではないとき、ユーザ機器は、第２のセルで異周波数間動作を実行し得る。いくつかの実施形態では、ユーザ機器はさらに、測定ギャップ支援が必要かどうかを判定し得る。いくつかの実施形態では、第１のセルの中央周波数が第２のセルの中央周波数とは異なるとき、測定ギャップ支援が必要とされる。いくつかの実施形態では、第１のセルの中央周波数が第２のセルの中央周波数の第１のマージン内にあるとき、測定ギャップ支援は必要とされる。ある種の実施形態では、ユーザ機器は、第２のセルが同一周波数キャリアで動作するか異周波数キャリアで動作するかの判定に応答して、測定手続きをさらに適応させ得る。
【０１７９】
図１６は、ある種の実施形態による、ネットワークノードにおける別の方法の流れ図である。方法１６００は、ネットワークノードが第１のセルの第１の測定リソースを取得するステップ１６１０で開始する。ある種の実施形態では、第１のセルは第１のサービングセル（セル１）でもよい。いくつかの実施形態では、第１の測定リソースは、参照測定リソースとして使用され得る。いくつかの実施形態では、ネットワークノードは、図４に示されたネットワークノードでもよい。
【０１８０】
ステップ１６２０で、ネットワークノードは、第２のセルの第２の測定リソースを取得し、第２のセルの第２の測定リソースと第１のセルの第１の測定リソースとは、同じタイプである。ある種の実施形態では、第２のセルは、第２のサービングセル（セル２）でもよい。いくつかの実施形態では、ネットワークノードは、１つ又は複数の隣接セルの測定リソースを取得し得る。いくつかの実施形態では、隣接セルは、第３のサービングセル（セル３）でもよい。ある種の実施形態では、測定リソースは、ＳＳブロック又はＣＳＩ−ＲＳを備え得る。
【０１８１】
ステップ１６３０で、ネットワークノードは、第２のセルの第２の測定リソースと参照測定リソースを比較することによって、第２のセルが同一周波数キャリアで動作するか異周波数キャリアで動作するかを判定する。いくつかの実施形態では、ネットワークノードはさらに、対応する参照測定リソースを１つ又は複数の隣接セルの測定リソースと個々に比較することによって、１つ又は複数の隣接セルが同一周波数キャリアで動作するか異周波数キャリアで動作するかを判定し得る。ある種の実施形態では、ネットワークノードはさらに、第２のセルが同一周波数キャリアで動作するか異周波数キャリアで動作するかの判定に応答して、ＵＥに送信される測定設定を適応させ得る。ある種の実施形態では、ネットワークノードはさらに、第２のセルが同一周波数キャリアで動作するか異周波数キャリアで動作するかの判定に応答して、ＵＥへのアップリンク及び／又はダウンリンクにおける信号のスケジューリングを適応させ得る。
【０１８２】
ステップ１６４０で、ネットワークノードは、第２のセルが同一周波数キャリアで動作するか異周波数キャリアで動作するかの判定に関する情報をユーザ機器に送信する。いくつかの実施形態では、ネットワークノードは、第２のセルが同一周波数キャリアで動作するか異周波数キャリアで動作するかの判定のためにユーザ機器に第１のセルの第１の測定リソース、第２のセルの第２の測定リソース、及び任意の他の隣接セルの任意の可能な測定リソースを送信する。ある種の実施形態では、ネットワークノードは、取得されたＲＭＲに関する情報をＵＥに送信し得る。ある種の実施形態では、ネットワークノードは、測定設定をＵＥに送信し得る。ある種の実施形態では、ネットワークノードは、ＵＥへのアップリンク及び／又はダウンリンクにおける信号のスケジューリングを送信し得る。
【０１８３】
図１７は、ある種の実施形態による、例示的ユーザ機器の概略的ブロック図である。ユーザ機器１７００は、ワイヤレスネットワーク（たとえば、図４に示すワイヤレスネットワーク）において使用され得る。ユーザ機器１７００は、ワイヤレスデバイス又はネットワークノード（たとえば、図４に示すワイヤレスデバイス４１０又はネットワークノード４６０）において実装され得る。ユーザ機器１７００は、図１５を参照して説明される例示的方法及び場合により本明細書で開示される任意の他のプロセス又は方法を実行するように動作可能である。図１５の方法は、必ずしもユーザ機器１７００だけによって実行されないこともまた理解されたい。方法の少なくとも一部の動作は、１つ又は複数の他のエンティティによって実行することができる。
【０１８４】
ユーザ機器１７００は、１つ又は複数のマイクロプロセッサ又はマイクロコントローラを含み得る処理回路、並びに、デジタル信号プロセッサ（ＤＳＰ）、専用デジタルロジックなどを含み得る他のデジタルハードウェアを備え得る。いくつかの実施形態では、ユーザ機器１７００の処理回路は、図４に示す処理回路でもよい。いくつかの実施形態では、ユーザ機器１７００の処理回路は、図５に示すプロセッサでもよい。処理回路は、読取り専用メモリ（ＲＯＭ）、ランダムアクセスメモリ、キャッシュメモリ、フラッシュメモリデバイス、光記憶デバイスなどの、１つの又はいくつかのタイプのメモリを含み得る、メモリに記憶されたプログラムコードを実行するように設定され得る。いくつかの実施形態では、メモリに記憶されたプログラムコードは、１つ又は複数の電気通信及び／又はデータ通信プロトコルを実行するためのプログラム命令並びに本明細書に記載の技法のうちの１つ又は複数を実行するための命令を含む。いくつかの実装形態において、処理回路は、取得ユニット１７１０及び判定ユニット１７２０、及びユーザ機器１７００の任意の他の適切なユニットに本開示の１つ又は複数の実施形態による対応する機能を実行させるために使用され得る。
【０１８５】
図１７に示されるように、ユーザ機器１７００は、取得ユニット１７１０及び判定ユニット１７２０を含む。取得ユニット１７１０は、第１のセルの第１の測定リソースを取得するように設定され得る。いくつかの実施形態では、第１の測定リソースは、参照測定リソースと見なされ得る。ある種の実施形態では、第１のセルは第１のサービングセル（セル１）でもよい。取得ユニット１７１０は、第２のセルの第２の測定リソースを取得するように設定され得、第２のセルの第２の測定リソースと第１のセルの第１の測定リソースとは、同じタイプである。ある種の実施形態では、第２のセルは、第２のサービングセル（セル２）でもよい。ある種の実施形態では、取得ユニット１７１０は、１つ又は複数の隣接セルの測定リソースを取得し得る。いくつかの実施形態では、隣接セルは、第３のサービングセル（セル３）でもよい。ある種の実施形態では、測定リソースは、ＳＳブロック又はＣＳＩ−ＲＳを備え得る。ある種の実施形態では、ＵＥは、ネットワークノードから受信されたインジケーションに基づいてＲＭＲに関する情報を取得する。
【０１８６】
判定ユニット１７２０は、第２のセルが同一周波数キャリアで動作するか異周波数キャリアで動作するかを第２のセルの第２の測定リソースと参照測定リソースを比較することによって判定するように設定され得る。いくつかの実施形態では、判定ユニット１７２０はさらに、対応する参照測定リソースを１つ又は複数の隣接セルの測定リソースと個々に比較することによって１つ又は複数の隣接セルが同一周波数キャリアで動作するか異周波数キャリアで動作するかを判定し得る。ある種の実施形態では、ユーザ機器は、第２のセルが同一周波数キャリアで動作するか異周波数キャリアで動作するかの判定に応答して測定手続きをさらに適応させ得る。
【０１８７】
図１８は、ある種の実施形態による、例示的ネットワークノードの概略的ブロック図である。ネットワークノード１８００は、ワイヤレスネットワーク（たとえば、図４に示すワイヤレスネットワーク）において使用され得る。ネットワークノード１８００は、ワイヤレスデバイス（たとえば、図４に示すワイヤレスデバイス４１０）において実装され得る。ネットワークノード１８００は、図１６を参照して説明されるような例示的方法及び場合により本明細書で開示される任意の他のプロセス又は方法を実行するように動作可能である。図１６の方法は必ずしもネットワークノード１８００だけによって実行されないこともまた理解されたい。本方法の少なくとも一部の動作は、１つ又は複数の他のエンティティによって実行され得る。
【０１８８】
ネットワークノード１８００は、１つ又は複数のマイクロプロセッサ又はマイクロコントローラを含み得る処理回路、並びに、デジタル信号プロセッサ（ＤＳＰ）、専用デジタルロジックなどを含み得る他のデジタルハードウェアを備え得る。いくつかの実施形態では、ネットワークノード１８００の処理回路は、図４に示す処理回路４７０でもよい。処理回路は、読取り専用メモリ（ＲＯＭ）、ランダムアクセスメモリ、キャッシュメモリ、フラッシュメモリデバイス、光記憶デバイスなどの１つの又はいくつかのタイプのメモリを含み得る、メモリに記憶されたプログラムコードを実行するように設定され得る。いくつかの実施形態では、メモリに記憶されたプログラムコードは、１つ又は複数の電気通信及び／又はデータ通信プロトコルを実行するためのプログラム命令並びに本明細書に記載の技法のうちの１つ又は複数を実行するための命令を含む。いくつかの実装形態において、処理回路は、取得ユニット１８１０、判定ユニット１８２０、送信ユニット１８３０、及び、ネットワークノード１８００の任意の他の適切なユニットに本開示の１つ又は複数の実施形態による対応する機能を実行させるために使用され得る。
【０１８９】
図１８に示されるように、ネットワークノード１８００は、取得ユニット１８１０、判定ユニット１８２０、及び送信ユニット１８３０を含む。取得ユニット１８１０は、第１のセルの第１の測定リソースを取得するように設定され得る。ある種の実施形態では、第１のセルは第１のサービングセル（セル１）でもよい。いくつかの実施形態では、第１の測定リソースは、参照測定リソースと見なされ得る。取得ユニット１８１０は、第２のセルの第２の測定リソースを取得するように設定され得、第２のセルの第２の測定リソースと第１のセルの第１の測定リソースとは、同じタイプである。ある種の実施形態では、第２のセルは、第２のサービングセル（セル２）でもよい。ある種の実施形態では、取得ユニット１８１０は、１つ又は複数の隣接セルの測定リソースを取得し得る。いくつかの実施形態では、隣接セルは、第３のサービングセル（セル３）でもよい。ある種の実施形態では、測定リソースは、ＳＳブロック又はＣＳＩ−ＲＳを備え得る。
【０１９０】
判定ユニット１８２０は、第２のセルが同一周波数キャリアで動作するか異周波数キャリアで動作するかを第２のセルの第２の測定リソースと参照測定リソースを比較することによって判定するように設定され得る。いくつかの実施形態では、判定ユニット１８２０はさらに、参照測定リソースを１つ又は複数の隣接セルの１つ又は複数の測定リソースと個々に比較することによって、１つ又は複数の隣接セルが同一周波数キャリアで動作するか異周波数キャリアで動作するかを判定し得る。
【０１９１】
送信ユニット１８３０は、第２のセルが同一周波数キャリアで動作するか異周波数キャリアで動作するかの判定をユーザ機器に送信するように設定され得る。いくつかの実施形態では、送信ユニット１８３０は、第２のセルが同一周波数内で動作するか異周波数間で動作するかを判定するためにユーザ機器に第１のセルの第１の測定リソース、第２のセルの第２の測定リソース、及び任意の他の隣接セルの任意の可能な測定リソースを送信し得る。ある種の実施形態では、送信ユニット１８３０は、取得されたＲＭＲに関する情報をＵＥに送信し得る。ある種の実施形態では、送信ユニット１８３０は、第２のセルが同一周波数キャリアで動作するか異周波数キャリアで動作するかの判定に応答して測定設定をＵＥに送信し得る。ある種の実施形態では、送信ユニット１８３０は、第２のセルが同一周波数キャリアで動作するか異周波数キャリアで動作するかの判定に応答してＵＥへのアップリンク及び／又はダウンリンクにおける信号のスケジューリングを送信し得る。
【０１９２】
ユニットという用語は、電子工学、電気デバイス及び／又は電子デバイスの分野における従来の意味を有し得、たとえば、本明細書に記載されているものなどのような、電気及び／又は電子回路、デバイス、モジュール、プロセッサ、受信器、送信器、メモリ、ロジックソリッドステート及び／又はディスクリートデバイス、それぞれのタスク、手続き、計算、出力、及び／又は表示機能を実行するためのコンピュータプログラム又は命令などを含み得る。
【０１９３】
様々な実施形態によれば、本明細書に記載の特徴の利点は、冗長データが、電波インターフェースを介して送信される前に、破棄され得、以って、貴重な帯域幅を節約することである。別の利点は、カバレッジの一時的損失を有するＤＵが冗長データのそのバッファを消去することができ、カバレッジが復元されると直ちに新しいデータを送信する準備が整い得るということである。
【０１９４】
図中のプロセスは、本発明のある種の実施形態によって実行される特定の順序の動作を示し得るが、そのような順序は例示であることを理解されたい（たとえば、代替実施形態は、異なる順序でそれらの動作を実行する、ある種の動作を結合させる、ある種の動作をオーバーラップするなどし得る）。
【０１９５】
本発明は、いくつかの実施形態に関して説明されているが、本発明は、記載されている実施形態に限定されず、添付の特許請求の範囲の趣旨及び範囲内の修正及び変更を有して実施され得ることが、当業者には認められよう。したがって、本明細書は、制限ではなく例示と見なされるものとする。
【図１】
2020526090.tif 000003
【図２】
2020526090.tif 000004
【図３】
2020526090.tif 000005
【図４】
2020526090.tif 000006
【図５】
2020526090.tif 000007
【図６】
2020526090.tif 000008
【図７】
2020526090.tif 000009
【図８】
2020526090.tif 000010
【図９】
2020526090.tif 000011
【図１０】
2020526090.tif 000012
【図１１】
2020526090.tif 000013
【図１２】
2020526090.tif 000014
【図１３】
2020526090.tif 000015
【図１４】
2020526090.tif 000016
【図１５】
2020526090.tif 000017
【図１６】
2020526090.tif 000018
【図１７】
2020526090.tif 000019
【図１８】
2020526090.tif 000020
【国際調査報告】
2020526090.tif 000021
2020526090.tif 000022
2020526090.tif 000023